(57)【要約】【課題】コンディショナルアクセス（ＣＡ）カードの挿抜操作や移動といった煩雑な取り扱いを要することなく、当該一のＣＡカードに係る視聴契約による視聴権限に基づく便益を、同一の視聴期間中には排他的になるようにして視聴契約を遵守しつつ、一のＣＡシステムに属する複数のデジタル放送受信機間で、各個に共通に享受できるようにする。【解決手段】視聴契約済の複数のＣＡカード１１０，１２０を一つのＣＡサーバ１００に装着し、これら複数のＣＡカード１１０，１２０が生成する暗号鍵を、ＣＡサーバ１００からネットワーク４２０を通して複数のデジタル放送受信機２００，３００に供給することによりスクランブル解除処理を可能にして、ＣＡカードの差し替えを要さずに視聴契約が結ばれた放送ないし番組を排他的に視聴できるようにしたもの。【選択図】図１
2007336141.tif 000002
【特許請求の範囲】
【請求項１】
コンディショナルアクセスサーバと複数のデジタル放送受信機とが伝送路で結ばれて構成されたコンディショナルアクセスシステムであって、
前記コンディショナルアクセスサーバは、複数のコンディショナルアクセスカードとのデータの授受を行うためのコンディショナルアクセスカードインターフェース部と、複数のデジタル放送受信機とのデータの授受を行うためのデジタル放送受信機インターフェース部と、前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容するように制御を実行するサーバ側システムコントローラと、を備えて構成され、
前記複数の各デジタル放送受信機は、放送信号を選択的に受信するためのチューナ部と、前記コンディショナルアクセスサーバとのデータの授受を行うコンディショナルアクセスサーバインターフェース部と、前記コンディショナルアクセスサーバからコンディショナルアクセスカードにより生成されたスクランブル解除の為の暗号鍵のデータを前記コンディショナルアクセスサーバインターフェース部を通して受信することによって各自機における前記チューナ部で受信した放送信号に対してスクランブル解除処理を実行するスクランブル解除部と、前記チューナ部、コンディショナルアクセスサーバインターフェース部、および、スクランブル解除部を含む各部を統括的に制御する受信機側システムコントローラと、を備えて構成されていることを特徴とするコンディショナルアクセスシステム。
【請求項２】
前記コンディショナルアクセスサーバのデジタル放送受信機インターフェース部、および、前記複数の各デジタル放送受信機のコンディショナルアクセスサーバインターフェース部は、ネットワークを通してデータの授受を行うネットワークインターフェース部によって構成されていることを特徴とする請求項１に記載のコンディショナルアクセスシステム。
【請求項３】
前記コンディショナルアクセスサーバの前記サーバ側システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、当該視聴のための操作が先行したデジタル放送受信機に対して視聴を許容し、当該視聴のための操作が後続して行われたデジタル放送受信機に対して、他機が優先して排他的に当該放送ないし番組を視聴している旨の排他メッセージを送信するべく制御を実行するように構成されていることを特徴とする請求項１に記載のコンディショナルアクセスシステム。
【請求項４】
前記コンディショナルアクセスサーバの前記サーバ側システムコントローラは、前記デジタル放送受信機において、何れのコンディショナルアクセスカードに関しても視聴契約が締結されていない放送ないし番組の視聴を行うための操作が行われたときには、当該デジタル放送受信機に対して、視聴に関する視聴契約は未締結である旨の未契約メッセージを送信するべく制御を実行するように構成されていることを特徴とする請求項１に記載のコンディショナルアクセスシステム。
【請求項５】
コンディショナルアクセスサーバと複数のデジタル放送受信機とが伝送路で結ばれて構成されるコンディショナルアクセスシステムを構成するに適合するコンディショナルアクセスサーバであって、
複数のコンディショナルアクセスカードとのデータの授受を行うためのコンディショナルアクセスカードインターフェース部と、複数のデジタル放送受信機とのデータの授受を行うためのデジタル放送受信機インターフェース部と、前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容するべく制御を実行するサーバ側システムコントローラと、を備えて構成されていることを特徴とするコンディショナルアクセスサーバ。
【請求項６】
前記デジタル放送受信機インターフェース部は、ネットワークを通してデータの授受を行うネットワークインターフェース部によって構成されていることを特徴とする請求項５に記載のコンディショナルアクセスサーバ。
【請求項７】
前記サーバ側システムコントローラは、前記複数のデジタル放送受信機間で、同一のコンディショナルアクセスカードに関する視聴契約に基づく同一の放送ないし番組について同時に当該放送ないし番組の視聴を行うための操作が行われたときには、当該視聴のための操作が先行したデジタル放送受信機に対して視聴を許容し、当該視聴のための操作が後続して行われたデジタル放送受信機に対して、他機が優先して排他的に当該放送ないし番組を視聴している旨の排他メッセージを送信するべく制御を実行するように構成されていることを特徴とする請求項５に記載のコンディショナルアクセスサーバ。
【請求項８】
前記サーバ側システムコントローラは、前記デジタル放送受信機において、何れのコンディショナルアクセスカードに関しても視聴契約が行われていない放送ないし番組の視聴を行うための操作が行われたときには、当該視聴に関する視聴契約は未締結である旨のメッセージを送信するべく制御を実行するように構成されていることを特徴とする請求項５に記載のコンディショナルアクセスサーバ。
【請求項９】
コンディショナルアクセスサーバと複数のデジタル放送受信機とが伝送路で結ばれて構成されたコンディショナルアクセスシステムに適合するデジタル放送受信機であって、
放送信号を選択的に受信するためのチューナ部と、前記コンディショナルアクセスサーバとのデータの授受を行うコンディショナルアクセスサーバインターフェース部と、前記コンディショナルアクセスサーバからコンディショナルアクセスカードにより生成されたスクランブル解除の為の暗号鍵のデータを前記コンディショナルアクセスサーバインターフェース部を通して受信することによって前記チューナ部で受信した放送信号に対してスクランブル解除処理を実行するスクランブル解除部と、前記チューナ部、コンディショナルアクセスサーバインターフェース部、および、スクランブル解除部を含む各部を統括的に制御する受信機側システムコントローラと、を備えて構成されていることを特徴とするデジタル放送受信機。
【請求項１０】
前記コンディショナルアクセスサーバインターフェース部は、ネットワークを通してデータの授受を行うネットワークインターフェース部によって構成されていることを特徴とする請求項９に記載のデジタル放送受信機。
【請求項１１】
前記受信機側システムコントローラは、自機と共に管理される他のデジタル放送受信機が同一のコンディショナルアクセスカードに関して視聴契約が締結されている同一の放送ないし番組について先行して当該放送ないし番組の視聴を行うための操作を行っていることに対応して、前記コンディショナルアクセスサーバ側から、前記コンディショナルアクセスサーバインターフェース部を通して、他機が優先して排他的に当該放送ないし番組を視聴している旨の排他メッセージを受信したときには、当該排他メッセージを表す表示を行うべく制御を実行するように構成されていることを特徴とする請求項９に記載のデジタル放送受信機。
【請求項１２】
前記受信機側システムコントローラは、何れのコンディショナルアクセスカードに関しても視聴契約が締結されていない放送ないし番組の視聴を行うための操作が行われたことに対応して、前記コンディショナルアクセスサーバ側から、前記コンディショナルアクセスサーバインターフェース部を通して、当該視聴に関する視聴契約は未締結である旨の未契約メッセージを受信したときには、当該未契約メッセージを表す表示を行うべく制御を実行するように構成されていることを特徴とする請求項９に記載のデジタル放送受信機。
【発明の詳細な説明】
【技術分野】
【０００１】
本発明は、コンディショナルアクセスシステム、および、該コンディショナルアクセスシステムに属するコンディショナルアクセスサーバ、ならびに、デジタル放送受信機（デジタルテレビジョン受像機やＨＤＤ/ＤＶＤ レコーダー等の録画装置、その他）に関し、より詳細には、一のコンディショナルアクセスカードに係る視聴契約による視聴権限を、同一の視聴期間中には排他的になるようにしつつ、一のコンディショナルアクセスシステムに属する複数のデジタル放送受信機間で、各個に共通に享受することができるようにするための技術に関する。
【背景技術】
【０００２】
近年、デジタルテレビジョン放送では、多くの放送は、スクランブル（暗号）がかけられている。これはＣＡＳ（Conditional Access System）とも称呼される限定受信システムであって、有料放送のために考案されたものである。受信契約（視聴契約）を締結した顧客のみがその放送を視聴でき、契約者以外は視聴できないように放送信号をスクランブルしておき、契約者（その受信機）にはこのスクランブルを解く暗号鍵が提供される（一般的には、放送電波にのせて送信される）。
【０００３】
上述のようなＣＡＳの暗号を復号する暗号鍵を得て所望の放送ないし番組を視聴するにはＩＣカード（コンディショナルアクセスカード）が必要である。即ち、日本でのＢＳデジタル放送、地上デジタル放送、１１０度ＣＳデジタル放送のＣＡＳであるＢ−ＣＡＳを視聴するにはＩＣカードとしてＢＣＡＳカードが必要であり、デジタルケーブルテレビのＣＡＳであるＣ−ＣＡＳを視聴するにはＣＣＡＳカードが必要である。
【０００４】
例えば、衛星デジタル放送の視聴を希望する顧客は、アンテナとデジタルチューナを購入し、受信契約書に所定事項（視聴、従って、購入を希望する放送ないし番組等）を記入して自ら郵送するか、或いは、販売店などに依頼して同様の手続きを代行して貰う。デジタル放送局側では、受信契約書を受け取ると、記載された情報を顧客管理システムに登録し、登録された情報に基づいて生成された顧客個別の情報及びスクランブル解除の為の鍵情報からなるＥＭＭ（Entitlement Management Message）データを衛星放送の電波に適宜挿入して送出する。顧客がこの衛星からの電波を受信すると、ＥＭＭデータがデジタルチューナにセットされるＩＣカードに書き込まれることによりスクランブルを解除する機能が有効になって、放送ないし番組の視聴が可能となる。
【０００５】
実際には、電話、ＦＡＸ、或いは、インターネットなどを介して仮登録を行うことによって一定期間のみスクランブルを解除して放送ないし番組の視聴を可能にし、この期間内に正規の登録手続きを行うという方法により、受信契約書による正規登録の手続きを待たず直ちに視聴したいという要望に対処している。
しかしながら、たとえ仮登録が完了しても、衛星放送の電波を利用して、放送スケジュールに従って適宜ＥＭＭを送出しているので、スクランブル解除の明確な日時を提示することができないといった問題があった。このような問題に対処する方法は、既に提案されている。
【０００６】
一つの提案では、前記送信側は、前記受信側のコンディショナルアクセスに使用する受信機と通信を行う通信手段と、該受信機のＩＤ情報及び／又は該受信機を特定することが可能なＩＤ情報を取り込むＩＤ取得手段と、該ＩＤ取得手段により取り込んだＩＤ情報に基づき、サービスチャンネルの視聴が可能となる予定日時情報を生成して受信側に提示する視聴可能予定日時提示手段とを具備し、ＥＭＭ送出のスケジューリングを自動化することによってスクランブルが解除されて視聴が可能となる日時を明確にするというものである。
【０００７】
視聴契約が急増した場合でも明確なスクランブル解除日時を提示することができ、ユーザ側ではスクランブル解除されているか否かを何度も確認するような手間が無くなり、ＥＭＭデータ送出予定日時の前の直近になった場合、自動又は手動で受信機が該当するサービスチャンネルを受信できるように設定しておけば、ＥＭＭデータの受信忘れを防止することもできるとされている（特許文献１参照）。
【特許文献１】特開２００２−２８１４７１号公報（段落０００２〜段落０００８、段落００３５、図１）
【発明の開示】
【発明が解決しようとする課題】
【０００８】
一方、視聴契約が成立して後、実際に放送ないし番組の視聴が行なわれる場面では、コンディショナルアクセスカードにより視聴制御されるデジタルテレビジョン受像機やＨＤＤ/ＤＶＤ レコーダー等の録画装置、或いはまた、セットトップボックスなどのデジタル放送受信機では、機器本体と機器に同梱されるコンディショナルアクセスカードが一組で使用されることが一般的である。
【０００９】
ところで、近年デジタル放送受信機の低価格化により一般家庭への普及が急速に拡大しつつあり、一つの家庭に複数台のデジタル放送受信機が設置されることも珍しくない。しかし有料放送ないし番組の視聴契約を行った場合には契約処理を行ったデジタル放送受信機に挿入されるコンディショナルアクセスカードに視聴権限が記録されるため、家庭内の他のデジタル放送受信機では有料放送ないし番組の視聴ができない。
【００１０】
例えばリビングのデジタル放送受信機で有料放送ないし番組を視聴していて続きを寝室のデジタル放送受信機で視聴したい場合、前者のデジタル放送受信機から後者へとコンディショナルアクセスカードの差し替えを行なえば寝室のデジタル放送受信機でも有料放送ないし番組が視聴可能となるが、この種の機器における平生の使用状況では滅多に行うことのないコンディショナルアクセスカードの挿抜操作や移動は煩雑であり余り現実的ではない。
【００１１】
既述の特許文献１における提案でも、このような視点からの技術課題の認識はなく、従って、当然ながら、このような課題への対処法についても提案がない。
本発明は上述のような状況に鑑みてなされたものであり、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができるようにする技術を提供することを目的としている。
【課題を解決するための手段】
【００１２】
上記課題を解決するべく、本願では次に列記するような技術を提案する。
（１）コンディショナルアクセスサーバと複数のデジタル放送受信機とが伝送路で結ばれて構成されたコンディショナルアクセスシステムであって、
前記コンディショナルアクセスサーバは、複数のコンディショナルアクセスカードとのデータの授受を行うためのコンディショナルアクセスカードインターフェース部と、複数のデジタル放送受信機とのデータの授受を行うためのデジタル放送受信機インターフェース部と、前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容するように制御を実行するサーバ側システムコントローラと、を備えて構成され、
前記複数の各デジタル放送受信機は、放送信号を選択的に受信するためのチューナ部と、前記コンディショナルアクセスサーバとのデータの授受を行うコンディショナルアクセスサーバインターフェース部と、前記コンディショナルアクセスサーバからコンディショナルアクセスカードにより生成されたスクランブル解除の為の暗号鍵のデータを前記コンディショナルアクセスサーバインターフェース部を通して受信することによって各自機における前記チューナ部で受信した放送信号に対してスクランブル解除処理を実行するスクランブル解除部と、前記チューナ部、コンディショナルアクセスサーバインターフェース部、および、スクランブル解除部を含む各部を統括的に制御する受信機側システムコントローラと、を備えて構成されていることを特徴とするコンディショナルアクセスシステム。
【００１３】
上記（１）のコンディショナルアクセスシステムでは、コンディショナルアクセスサーバと複数のデジタル放送受信機とが伝送路で結ばれ、コンディショナルアクセスサーバのコンディショナルアクセスカードインターフェース部に接続されている複数のコンディショナルアクセスカードに関して締結されている放送ないし番組の視聴契約に基づいて、コンディショナルアクセスサーバのサーバ側システムコントローラが、複数のデジタル放送受信機間で、同一のコンディショナルアクセスカードおよび同一の視聴期間中については排他的になるようにして視聴契約を遵守しつつ、各個のデジタル放送受信機に共通に、当該視聴契約に基づく視聴権限による便益を享受することができるように調停する。
【００１４】
（２）前記コンディショナルアクセスサーバのデジタル放送受信機インターフェース部、および、前記複数の各デジタル放送受信機のコンディショナルアクセスサーバインターフェース部は、ネットワークを通してデータの授受を行うネットワークインターフェース部によって構成されていることを特徴とする（１）のコンディショナルアクセスシステム。
上記（２）のコンディショナルアクセスシステムでは、（１）のコンディショナルアクセスシステムによる作用において特に、コンディショナルアクセスサーバのデジタル放送受信機インターフェース部、および、複数の各デジタル放送受信機のコンディショナルアクセスサーバインターフェース部は、ネットワークを通してデータの授受を行うネットワークインターフェース部によって構成されているため、当該コンディショナルアクセスシステムに属するコンディショナルアクセスサーバと複数の各デジタル放送受信機との各個の本体の配置に拘束されずにネットワークを通して支障なく所要のデータの授受を行うことができる。
【００１５】
（３）前記コンディショナルアクセスサーバの前記サーバ側システムコントローラは、前記複数のデジタル放送受信機間で同一のコンディショナルアクセスカードに関して視聴契約が締結されている同一の放送ないし番組について同時に当該放送ないし番組の視聴を行うための操作が行われたときには、当該視聴のための操作が先行したデジタル放送受信機に対して視聴を許容し、当該視聴のための操作が後続して行われたデジタル放送受信機に対して、他機が優先して排他的に当該放送ないし番組を視聴している旨の排他メッセージを送信するべく制御を実行するように構成されていることを特徴とする（１）のコンディショナルアクセスシステム。
【００１６】
上記（３）のコンディショナルアクセスシステムでは、（１）のコンディショナルアクセスシステムによる作用において特に、サーバ側システムコントローラは、複数のデジタル放送受信機間で同一のコンディショナルアクセスカードに関して視聴契約が締結されている同一の放送ないし番組について同時に当該放送ないし番組の視聴を行うための操作が行われたときには、当該視聴のための操作が先行したデジタル放送受信機に対して視聴を許容し、当該視聴のための操作が後続して行われたデジタル放送受信機に対して、他機が優先して排他的に当該放送ないし番組を視聴している旨の排他メッセージを送信するように制御を実行する。
これにより、同一のコンディショナルアクセスカードおよび同一の視聴期間中については排他的に当該放送ないし番組の視聴が許容され、従って、視聴契約が遵守された上で、各個のデジタル放送受信機に共通に、当該視聴契約に基づく当該放送ないし番組の視聴が可能になるという便益が得られる。
【００１７】
（４）前記コンディショナルアクセスサーバの前記サーバ側システムコントローラは、前記デジタル放送受信機において、何れのコンディショナルアクセスカードに関しても視聴契約が締結されていない放送ないし番組の視聴を行うための操作が行われたときには、当該デジタル放送受信機に対して、視聴に関する視聴契約は未締結である旨の未契約メッセージを送信するべく制御を実行するように構成されていることを特徴とする（１）のコンディショナルアクセスシステム。
【００１８】
上記（４）のコンディショナルアクセスシステムでは、（１）のコンディショナルアクセスシステムによる作用において特に、サーバ側システムコントローラは、デジタル放送受信機において、何れのコンディショナルアクセスカードに関しても視聴契約が締結されていない放送ないし番組の視聴を行うための操作が行われたときには、当該デジタル放送受信機に対して、視聴に関する視聴契約は未締結である旨の未契約メッセージを送信するべく制御を実行する。
これにより、当該デジタル放送受信機のユーザは、視聴契約が未締結であるが故に放送ないし番組の視聴ができない（スクランブル解除処理が実行され得ない）ことを的確に認識することができる。
【００１９】
（５）コンディショナルアクセスサーバと複数のデジタル放送受信機とが伝送路で結ばれて構成されるコンディショナルアクセスシステムを構成するに適合するコンディショナルアクセスサーバであって、
複数のコンディショナルアクセスカードとのデータの授受を行うためのコンディショナルアクセスカードインターフェース部と、複数のデジタル放送受信機とのデータの授受を行うためのデジタル放送受信機インターフェース部と、前記コンディショナルアクセスカードインターフェース部を通して接続された複数のコンディショナルアクセスカードと前記デジタル放送受信機インターフェース部を通して接続された複数のデジタル放送受信機との間でコンディショナルアクセスに係るデータの授受を調停して当該複数のコンディショナルアクセスカードによる複数の視聴権限を当該複数のデジタル放送受信機の間で排他的に共有することを許容するべく制御を実行するサーバ側システムコントローラと、を備えて構成されていることを特徴とするコンディショナルアクセスサーバ。
【００２０】
上記（５）のコンディショナルアクセスサーバでは、放送受信機インターフェース部を通して接続された複数のデジタル放送受信機に対して、コンディショナルアクセスカードインターフェース部を通して接続された複数のコンディショナルアクセスカードに関して締結されている視聴契約に基づいて、コンディショナルアクセスに係るデータの授受を調停して当該複数のコンディショナルアクセスカードによる複数の視聴権限を当該複数のデジタル放送受信機の間で排他的に共有することを許容するべく、サーバ側システムコントローラが制御を実行する。
【００２１】
これにより、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができる。
【００２２】
（６）前記デジタル放送受信機インターフェース部は、ネットワークを通してデータの授受を行うネットワークインターフェース部によって構成されていることを特徴とする（５）のコンディショナルアクセスサーバ。
上記（６）のコンディショナルアクセスサーバでは、（５）のコンディショナルアクセスサーバによる作用において特に、デジタル放送受信機インターフェース部は、ネットワークを通してデータの授受を行うネットワークインターフェース部によって構成されているため、当該コンディショナルアクセスシステムに属するコンディショナルアクセスサーバと複数の各デジタル放送受信機との各個の本体の配置に拘束されずにネットワークを通して支障なく所要のデータの授受を行うことができる。
【００２３】
（７）前記サーバ側システムコントローラは、前記複数のデジタル放送受信機間で、同一のコンディショナルアクセスカードに関する視聴契約に基づく同一の放送ないし番組について同時に当該放送ないし番組の視聴を行うための操作が行われたときには、当該視聴のための操作が先行したデジタル放送受信機に対して視聴を許容し、当該視聴のための操作が後続して行われたデジタル放送受信機に対して、他機が優先して排他的に当該放送ないし番組を視聴している旨の排他メッセージを送信するべく制御を実行するように構成されていることを特徴とする（５）のコンディショナルアクセスサーバ。
【００２４】
上記（７）のコンディショナルアクセスサーバでは、（５）のコンディショナルアクセスサーバによる作用において特に、サーバ側システムコントローラは、前記複数のデジタル放送受信機間で、同一のコンディショナルアクセスカードに関する視聴契約に基づく同一の放送ないし番組について同時に当該放送ないし番組の視聴を行うための操作が行われたときには、当該視聴のための操作が先行したデジタル放送受信機に対して視聴を許容し、当該視聴のための操作が後続して行われたデジタル放送受信機に対して、他機が優先して排他的に当該放送ないし番組を視聴している旨の排他メッセージを送信するべく制御を実行する。
このため、同一のコンディショナルアクセスカードおよび同一の視聴期間中については排他的に当該放送ないし番組の視聴が許容され、従って、視聴契約が遵守された上で、各個のデジタル放送受信機に共通に、当該視聴契約に基づく当該放送ないし番組の視聴が可能になるという便益が得られる。
【００２５】
（８）前記サーバ側システムコントローラは、前記デジタル放送受信機において、何れのコンディショナルアクセスカードに関しても視聴契約が行われていない放送ないし番組の視聴を行うための操作が行われたときには、当該視聴に関する視聴契約は未締結である旨のメッセージを送信するべく制御を実行するように構成されていることを特徴とする（５）のコンディショナルアクセスサーバ。
【００２６】
上記（８）のコンディショナルアクセスシステムでは、（５）のコンディショナルアクセスサーバによる作用において特に、サーバ側システムコントローラは、前記デジタル放送受信機において、何れのコンディショナルアクセスカードに関しても視聴契約が行われていない放送ないし番組の視聴を行うための操作が行われたときには、当該視聴に関する視聴契約は未締結である旨のメッセージを送信するべく制御を実行する。
このため、当該デジタル放送受信機のユーザは、視聴契約が未締結であるが故に放送ないし番組の視聴ができない（スクランブル解除処理が実行され得ない）ことを的確に認識することができる。
【００２７】
（９）コンディショナルアクセスサーバと複数のデジタル放送受信機とが伝送路で結ばれて構成されたコンディショナルアクセスシステムに適合するデジタル放送受信機であって、
放送信号を選択的に受信するためのチューナ部と、前記コンディショナルアクセスサーバとのデータの授受を行うコンディショナルアクセスサーバインターフェース部と、前記コンディショナルアクセスサーバからコンディショナルアクセスカードにより生成されたスクランブル解除の為の暗号鍵のデータを前記コンディショナルアクセスサーバインターフェース部を通して受信することによって前記チューナ部で受信した放送信号に対してスクランブル解除処理を実行するスクランブル解除部と、前記チューナ部、コンディショナルアクセスサーバインターフェース部、および、スクランブル解除部を含む各部を統括的に制御する受信機側システムコントローラと、を備えて構成されていることを特徴とするデジタル放送受信機。
【００２８】
上記（９）のデジタル放送受信機では、チューナ部で選択的に受信した放送信号を、コンディショナルアクセスサーバインターフェース部を通してコンディショナルアクセスサーバ側から供給された暗号鍵のデータを用いて、スクランブル解除部でスクランブル解除処理に附する。コンディショナルアクセスカードにより生成されている暗号鍵はコンディショナルアクセスサーバ側から供給されるものを受けて適用するため、コンディショナルアクセスカードの挿抜操作や移動といった煩雑な取り扱いを要することなく、当該一のコンディショナルアクセスカードに係る視聴契約による視聴権限に基づく便益を、同一の視聴期間中には排他的になるようにして視聴契約を遵守しつつ、一のコンディショナルアクセスシステムに属する複数のデジタル放送受信機間で、各個に共通に享受することができる。
【００２９】
（１０）前記コンディショナルアクセスサーバインターフェース部は、ネットワークを通してデータの授受を行うネットワークインターフェース部によって構成されていることを特徴とする（９）のデジタル放送受信機。
上記（１０）のデジタル放送受信機では、（９）のデジタル放送受信機による作用において特に、コンディショナルアクセスサーバインターフェース部は、ネットワークを通してデータの授受を行うネットワークインターフェース部によって構成されているため、当該コンディショナルアクセスシステムに属するコンディショナルアクセスサーバと複数の各デジタル放送受信機との各個の本体の配置に拘束されずにネットワークを通して支障なく所要のデータの授受を行うことができる。
【００３０】
（１１）前記受信機側システムコントローラは、自機と共に管理される他のデジタル放送受信機が同一のコンディショナルアクセスカードに関して視聴契約が締結されている同一の放送ないし番組について先行して当該放送ないし番組の視聴を行うための操作を行っていることに対応して、前記コンディショナルアクセスサーバ側から、前記コンディショナルアクセスサーバインターフェース部を通して、他機が優先して排他的に当該放送ないし番組を視聴している旨の排他メッセージを受信したときには、当該排他メッセージを表す表示を行うべく制御を実行するように構成されていることを特徴とする（９）のデジタル放送受信機。
【００３１】
上記（１１）のデジタル放送受信機では、（９）のデジタル放送受信機による作用において特に、受信機側システムコントローラは、自機と共に管理される他のデジタル放送受信機が同一のコンディショナルアクセスカードに関して視聴契約が締結されている同一の放送ないし番組について先行して当該放送ないし番組の視聴を行うための操作を行っていることに対応して、前記コンディショナルアクセスサーバ側から、前記コンディショナルアクセスサーバインターフェース部を通して、他機が優先して排他的に当該放送ないし番組を視聴している旨の排他メッセージを受信したときには、当該排他メッセージを表す表示を行うべく制御を実行する。
【００３２】
このため、当該デジタル放送受信機のユーザは、同一のコンディショナルアクセスカードに関して視聴契約が締結されている同一の放送ないし番組について先行して当該放送ないし番組の視聴を行うための操作を行っているユーザの存在に起因して、当該放送ないし番組の視聴ができない（スクランブル解除処理が実行され得ない）ことを的確に認識することができる。
【００３３】
（１２）前記受信機側システムコントローラは、何れのコンディショナルアクセスカードに関しても視聴契約が締結されていない放送ないし番組の視聴を行うための操作が行われたことに対応して、前記コンディショナルアクセスサーバ側から、前記コンディショナルアクセスサーバインターフェース部を通して、当該視聴に関する視聴契約は未締結である旨の未契約メッセージを受信したときには、当該未契約メッセージを表す表示を行うべく制御を実行するように構成されていることを特徴とする（９）のデジタル放送受信機。
【００３４】
上記（１２）のデジタル放送受信機では、（９）のデジタル放送受信機による作用において特に、受信機側システムコントローラは、何れのコンディショナルアクセスカードに関しても視聴契約が締結されていない放送ないし番組の視聴を行うための操作が行われたことに対応して、前記コンディショナルアクセスサーバ側から、前記コンディショナルアクセスサーバインターフェース部を通して、当該視聴に関する視聴契約は未締結である旨の未契約メッセージを受信したときには、当該未契約メッセージを表す表示を行うべく制御を実行する。
このため、当該デジタル放送受信機のユーザは、視聴契約が未締結であるが故に放送ないし番組の視聴ができない（スクランブル解除処理が実行され得ない）ことを的確に認識することができる。
【発明を実施するための最良の形態】
【００３５】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのコンディショナルアクセスシステムを表すブロック図である。
【００３６】
図１において、コンディショナルアクセスサーバ１００と複数のデジタル放送受信機としての第１のデジタル放送受信機２００および第２のデジタル放送受信機３００が伝送路４００で結ばれてコンディショナルアクセスシステム１０が構成されている。コンディショナルアクセスサーバ１００には第１のカードスロット１０１および第２のカードスロット１０２が設けられて、それぞれにコンディショナルアクセスカードが装着され得るように構成されている。
【００３７】
図１のコンディショナルアクセスシステム１０では、第１のカードスロット１０１には、当初は第１のデジタル放送受信機２００とセットで取り扱われる（通常の場合、同梱されていてセットとして流通している）第１のコンディショナルアクセスカード１１０（図では、第１のＣＡカードと略記）が装着され、第２のカードスロット１０２には、当初は第２のデジタル放送受信機３００とセットで取り扱われる第２のコンディショナルアクセスカード１２０（図では、第２のＣＡカードと略記）が装着されるが、各カードスロットとこれらに装着されるコンディショナルアクセスカードとの対応関係は上述のものに限定されるというものではない。
【００３８】
また、第１のデジタル放送受信機２００および第２のデジタル放送受信機３００は、それぞれ同様の構成を有するデジタルテレビジョン受像機であり得る。但し、本発明の技術思想では、デジタル放送受信機はこの例に限られず、本明細書で説明するように自機と対応するコンディショナルアクセスカードに関して視聴契約が締結された放送ないし番組に関して視聴が許容されるような機能部を含む、例えば、ＨＤＤ/ＤＶＤ レコーダー等の録画装置やセットトップボックス或いはその他の映像機器であり得る。
尚、本例の伝送路４００はハブ４１０を含んで構成されるネットワーク４２０の形態を採っている。
【００３９】
図２は、図１のコンディショナルアクセスシステム１０におけるコンディショナルアクセスサーバ１００の構成を表すブロック図である。このコンディショナルアクセスサーバ１００は、複数のコンディショナルアクセスカード１１０および１２０とのデータの授受を行うための第１のコンディショナルアクセスカードインターフェース部１１１（図では、第１のＣＡカードインターフェース部と略記）およびの第２のコンディショナルアクセスカードインターフェース部１２１（図では、第２のＣＡカードインターフェース部と略記）が設けられている。これら第１および第２の各コンディショナルアクセスカードインターフェース部１１１、１２１は、各対応して、上述の第１および第２のカードスロット１０１、１０２を有する。
【００４０】
コンディショナルアクセスサーバ１００には、また、第１および第２のデジタル放送受信機２００、３００とのデータの授受を行うためのデジタル放送受信機インターフェース部としてのネットワークインターフェース部１４０が設けられている。このネットワークインターフェース部１４０が図１を参照して説明したハブ４１０を含むネットワーク４０００と結ばれる
第１および第２のコンディショナルアクセスカードインターフェース部１１１、１２１を通して接続された第１および第２のコンディショナルアクセスカード１１０，１２０と、デジタル放送受信機インターフェース部（即ち、ネットワークインターフェース部）１４０を通して接続された第１および第２のデジタル放送受信機２００、３００との間でコンディショナルアクセスに係るデータの授受を調停して当該複数のコンディショナルアクセスカード１１０、１２０による複数の視聴権限を第１および第２のデジタル放送受信機２００、３００の間で排他的に共有することを許容するように制御を実行するサーバ側システムコントローラ１５０が設けられている。
【００４１】
このサーバ側システムコントローラ１５０には、基本的な制御のアルゴリズムを規定するプログラム、その他、所要の制御定数やパラメータ等々のデータが格納されたＲＯＭ１５１、および、本コンディショナルアクセスサーバ１００における動作のシーケンスの推移に係るステータスの一時的保持や所要の演算に用いるためのＲＡＭ１５２が附設されている。
【００４２】
図３は、図１のコンディショナルアクセスシステム１０における第１のデジタル放送受信機としてのデジタル放送受像機２００の構成を表すブロック図である。既述のとおり、図１の例で想定しているコンディショナルアクセスシステム１０では、第２のデジタル放送受信機としてのデジタル放送受像機３００も、第１のデジタル放送受信機としてのデジタル放送受像機２００と同様の構成を有する。
【００４３】
このデジタル放送受像機２００は、アンテナ２０１から放送信号を選択的に受信するためのチューナ部としてのデジタルチューナ２０２、デジタルチューナ２０２の出力であるトランスポートストリーム（トランスポートパケット）に関し選別を行うパケットフィルタ２０３、コンディショナルアクセスサーバ１００からコンディショナルアクセスカード１１０（１２０）により生成されたスクランブル解除の為の暗号鍵のデータを得て、デジタルチューナ２０２で受信しパケットフィルタ２０３で選別した放送信号のトランスポートパケットに対して、この暗号鍵のデータを用いてスクランブル解除処理を実行するスクランブル解除部２０４を有する。
【００４４】
デジタル放送受像機２００には、更に、スクランブル解除部２０４でスクランブル解除処理が施された映像および音声のデータに対してＭＰＥＧデコード処理を施すＭＰＥＧデコーダ２０５、文字や図形などを表示するためのグラフィックデータを生成するグラフィック描画部２０６、ＭＰＥＧデコーダ２０５の映像出力とグラフィック描画部２０６の出力とを合成して図示されない表示器へ供給する映像出力を得る画像合成部２０７、コンディショナルアクセスサーバ１００とのデータの授受を行うコンディショナルアクセスサーバインターフェース部としてのネットワークインターフェース部２０８が備えられている。グラフィック描画部２０６は図５および図６を参照して後述するような特定のメッセージを表示する機能をも有する。
上述のようにコンディショナルアクセスサーバ１００に装着されたコンディショナルアクセスカード１１０（１２０）により生成されたスクランブル解除の為の暗号鍵のデータは、このネットワークインターフェース部２０８を通してこのデジタル放送受信機２００に供給される。
【００４５】
更に、デジタルチューナ２０２、スクランブル解除部２０４、ネットワークインターフェース部２０８を含む各部を統括的に制御する受信機側システムコントローラ２０９が設けられている。この受信機側システムコントローラ２０９には、ＲＡＭ２１０およびＲＯＭ２１１が附設され、ＲＡＭ２１０を利用してアンテナで受信したコンテンツに係る所要の処理を実行し、一方、ＲＯＭ２１１には、基本的な制御のアルゴリズムを規定するプログラム、その他、所要の制御定数やパラメータ等々のデータが格納されており、所要のタイミングで受信機側システムコントローラ２０９にこれらのデータが読み込まれて制御動作が営まれる。
尚、リモコン２１２からの操作信号を受けるリモコンインターフェース部２１３が設けられ、リモコン２１２による種々の操作が受付けられて受信機側システムコントローラ２０９に供給されることによって、種々の遠隔操作が実現される。
【００４６】
図４は、図２のコンディショナルアクセスサーバ１００で管理される管理テーブルを表す概念図である。この管理テーブルは、ネットワーク４００に接続されるデジタル放送受信機（２００，３００）のステータスを管理するためにコンディショナルアクセスサーバ１００のＲＡＭ１５２に設定され、サーバ側システムコントローラ１５０によって適宜その内容が本コンディショナルアクセスシステム１０の状態を反映するように更新される。詳細は後述する。
【００４７】
図５は、視聴のための操作が行われた何れかのデジタル放送受信機において、他機が優先して排他的に当該放送ないし番組を視聴している旨を表示する場合の表示例を表す図である。本発明のコンディショナルアクセスシステム１０では、複数のデジタル放送受信機（２００，３００）間で同一のコンディショナルアクセスカード（１１０または１２０）に関して視聴契約が締結されている同一の放送ないし番組について同時に当該放送ないし番組の視聴を行うための操作が行われたときには、当該視聴のための操作が先行したデジタル放送受信機（２００または３００）に対して視聴を許容し、当該視聴のための操作が後続して行われたデジタル放送受信機（３００または２００）では、例えば図５にあるような「この番組は他の機器で視聴中です」といったようなメッセージの表示を行う。詳細については、後に、フローチャートを参照しつつ後述する。
【００４８】
図６は、視聴のための操作が行われた何れかのデジタル放送受信機（２００，３００）において、視聴契約が締結されていない放送ないし番組の視聴を行おうとしている旨を表示する場合の表示例を表す図である。本発明のコンディショナルアクセスシステム１０では、何れのコンディショナルアクセスカード（１１０，１２０）に関しても視聴契約が締結されていない放送ないし番組の視聴を行うための操作が行われたときには、当該デジタル放送受信機（２００，３００）に対して、視聴に関する視聴契約は未締結である旨の例えば図６にあるような「この番組の視聴には契約が必要です」といったようなメッセージの表示を行う。詳細については、後に、フローチャートを参照しつつ後述する。
【００４９】
図７は、図１のコンディショナルアクセスシステムにおける第１または第２のデジタル放送受信機（２００，３００…図７のフローチャートにおいて、代表的に、単にデジタル放送受信機２００とする）の動作を表すフローチャートである。この動作は、図３を参照して説明した受信機側システムコントローラ２０９によるデジタル放送受信機の動作に関する統括的な管理機能によって実現される。
【００５０】
視聴者が、デジタル放送受信機２００の電源を入れて視聴を開始すると（ステップＳ７０１）、アンテナ２０１（図３）による放送波からのパケットの受信が行われる（ステップＳ７０２）。次いで、受信されたパケットはＥＣＭメッセージを含むものであるか否かが識別され（ステップＳ７０３）、ＥＣＭメッセージを含むものであると識別されたときには（ステップＳ７０３：Ｙｅｓ）、コンディショナルアクセスサーバ（図中「ＣＡサーバ」と表記）へそのＥＣＭメッセージを送信する（ステップＳ７０４）。
【００５１】
ステップＳ７０４でのＥＣＭメッセージの送信に応答してコンディショナルアクセスサーバから送られてくる応答メッセージを受信し（ステップＳ７０５）、次いで、その応答メッセージには放送信号にかけられているスクランブルを解除するための暗号鍵（即ち、スクランブル解除鍵）が含まれているか否かを識別する（ステップＳ７０６）。このステップＳ７０６で、スクランブル解除鍵が含まれていると識別されたときには（ステップＳ７０６：Ｙｅｓ）、そのスクランブル解除鍵をスクランブル解除部２０４（図３）に転送する（ステップＳ７０７）。
【００５２】
スクランブル解除部２０４においてこのスクランブル解除鍵を用いてスクランブルの解除処理が行えたか否かを識別する（ステップＳ７０８）。スクランブル解除部２０４においてスクランブル解除鍵によってスクランブル解除処理が行えたときには（ステップＳ７０８：Ｙｅｓ）、コンディショナルアクセスサーバに「視聴可」の旨のメッセージを送信し（ステップＳ７０９）、スクランブルが解除された信号によって放送の表示を行うための動作を実行する（ステップＳ７１０）。この後、ステップＳ７０２に戻る。
【００５３】
一方、ステップＳ７０８で、このスクランブル解除鍵によってはスクランブル解除処理が行えなかったときには（ステップＳ７０８：Ｎｏ）、コンディショナルアクセスサーバに「視聴不可」の旨のメッセージを送信して（ステップＳ７１１）ステップＳ７０５に戻る。
他方、既述のステップＳ７０３で、受信されたパケットはＥＣＭメッセージ含んではいないと識別されたときには（ステップＳ７０３：Ｎｏ）、次いで、受信されたパケットはＥＭＭメッセージを含むものであるか否かが識別される（ステップＳ７１２）。ステップＳ７１２で、受信されたパケットはＥＭＭメッセージを含むものであると識別されたときには（ステップＳ７１２：Ｙｅｓ）、コンディショナルアクセスサーバにそのＥＭＭメッセージを送信し（ステップＳ７１３）、ステップＳ７０２に戻る。
また、ステップＳ７１２で、受信されたパケットはＥＭＭメッセージを含むものではないと識別されたときには（ステップＳ７１２：Ｎｏ）、そのままステップＳ７０２に戻る。
【００５４】
また、既述のステップＳ７０６で、コンディショナルアクセスサーバから送られてきた応答メッセージにはスクランブル解除鍵が含まれていないと識別されたときには（ステップＳ７０６：Ｎｏ）、その応答メッセージにはコンディショナルアクセスサーバからの新たなコンディショナルアクセスのＩＤ（ＣＡＳ＿ＩＤ）が含まれているか否かを識別する（ステップＳ７１４）。
【００５５】
ステップＳ７１４で、コンディショナルアクセスサーバからの応答メッセージには新たなＣＡＳ＿ＩＤが含まれていると識別されたときには（ステップＳ７１４：Ｙｅｓ）、コンディショナルアクセスのＩＤを応答メッセージによる新たなＣＡＳ＿ＩＤに更新して（ステップＳ７１５）、ステップＳ７０２に戻る。
一方、ステップＳ７１４で、コンディショナルアクセスサーバからの応答メッセージには新たなＣＡＳ＿ＩＤが含まれていないと識別されたときには（ステップＳ７１４：Ｎｏ）、その応答メッセージには排他メッセージが含まれているか否かを識別し（ステップＳ７１６）、排他メッセージが含まれているときには（ステップＳ７１６：Ｙｅｓ）、既述の図５にその一例が示されたような「排他メッセージ」を表示するための処理を実行して（ステップＳ７１７）動作を終了する。
【００５６】
他方、ステップＳ７１６で、コンディショナルアクセスサーバからの応答メッセージには排他メッセージが含まれていないときには（ステップＳ７１６：Ｎｏ）、次いで、その応答メッセージには未契約メッセージが含まれているか否かを識別し（ステップＳ７１８）、未契約メッセージが含まれているときには（ステップＳ７１８：Ｙｅｓ）、既述の図６にその一例が示されたような「未契約メッセージ」を表示するための処理を実行して（ステップＳ７１９）動作を終了する。尚、未契約メッセージが含まれていないときには（ステップＳ７１８：Ｎｏ）、そのまま既述のステップＳ７０５に戻る。
【００５７】
以上、図７のフローチャートおよび図３のブロック図を参照して説明したところから了解されるとおり、本発明の実施の形態としてのデジタル放送受信機では、チューナ部としてのデジタルチューナ２０２で選択的に受信した放送信号（パケット）を、コンディショナルアクセスサーバインターフェース部としてのネットワークインターフェース部２０８を通してコンディショナルアクセスサーバ１００側から供給された暗号鍵のデータを用いて、スクランブル解除部２０４でスクランブル解除処理に附する。
【００５８】
この暗号鍵取得の過程で、コンディショナルアクセスカード（図２：１１０，１２０）により生成される暗号鍵はコンディショナルアクセスサーバ１００側から供給されるものを受けて適用するため、コンディショナルアクセスカードの挿抜操作や移動といった煩雑な取り扱いを要することなく、一枚のコンディショナルアクセスカードに係る視聴契約による視聴権限に基づく便益を、同一の視聴期間中には排他的になるようにして視聴契約を遵守しつつ、一のコンディショナルアクセスシステム（図１：１０）に属する複数のデジタル放送受信機（２００，３００）間で、各個に共通に享受することができる。
【００５９】
また、コンディショナルアクセスサーバインターフェース部は、ネットワークを通してデータの授受を行うネットワークインターフェース部２０８によって構成されているため、コンディショナルアクセスシステム（図１：１０）に属するコンディショナルアクセスサーバ１００と複数の各デジタル放送受信機（２００，３００）との各個の本体の配置に拘束されずにネットワークを通して支障なく所要のデータの授受を行うことができる。
【００６０】
受信機側システムコントローラ２０９は、自機と共にコンディショナルアクセスサーバ１００で視聴の可否を管理される他のデジタル放送受信機が同一のコンディショナルアクセスカードに関して視聴契約が締結されている同一の放送ないし番組について先行して当該放送ないし番組の視聴を行うための操作を行っていることに対応して、コンディショナルアクセスサーバ１００側から、コンディショナルアクセスサーバインターフェース部としてのネットワークインターフェース部２０８を通して、他機が優先して排他的に当該放送ないし番組を視聴している旨の排他メッセージを受信したときには、当該排他メッセージを表す表示を行うべく制御を実行する（図７：ステップＳ７０５→ステップＳ７０６→ステップＳ７１４→ステップＳ７１６→ステップＳ７１７）。
【００６１】
このため、当該デジタル放送受信機のユーザは、図５に例示されたような表示を見て、同一のコンディショナルアクセスカードに関して視聴契約が締結されている同一の放送ないし番組について先行して当該放送ないし番組の視聴を行うための操作を行っているユーザの存在に起因して、当該放送ないし番組の視聴ができない（スクランブル解除処理が実行され得ない）ことを的確に認識することができる。
【００６２】
更にまた、受信機側システムコントローラ２０９は、何れのコンディショナルアクセスカードに関しても視聴契約が締結されていない放送ないし番組の視聴を行うための操作が行われたことに対応して、コンディショナルアクセスサーバ１００側から、コンディショナルアクセスサーバインターフェース部としてのネットワークインターフェース部２０８を通して、当該視聴に関する視聴契約は未締結である旨の未契約メッセージを受信したときには、当該未契約メッセージを表す表示を行うべく制御を実行する（図７：ステップＳ７０５→ステップＳ７０６→ステップＳ７１４→ステップＳ７１６→ステップＳ７１８→ステップＳ７１９）。
このため、当該デジタル放送受信機のユーザは、図６に例示されたような表示を見て、視聴契約が未締結であるが故に放送ないし番組の視聴ができない（スクランブル解除処理が実行され得ない）ことを的確に認識することができる。
【００６３】
図８ないし図１１は、コンディショナルアクセスサーバの動作（デジタル放送受信機１で放送を視聴する場合）に関するフローチャートである。
また、既述のとおり、図４は、コンディショナルアクセスサーバが保有する管理テーブルにおける管理データが図８ないし図１１のフローチャートの動作に関連して遷移する状況を表わす図である。この説明で想定している場合においては、本コンディショナルアクセスサーバと結ばれた機器について、機器ＩＤ１はデジタル放送受信機１に対応し、機器ＩＤ２はデジタル放送受信機２に対応する。
【００６４】
図８のフローチャートにおいて、コンディショナルアクセスサーバは、動作を開始後、デジタル放送受信機１からのメッセージをネットワーク経由で受信すると（ステップＳ８０１）、次いで、受信されたメッセージがＥＣＭメッセージを含むものであるか否かを識別する（ステップＳ８０２）。
このステップＳ８０２の段階では、管理テーブルは初期状態にある。また、接続中のコンディショナルアクセスカード（図４中「接続中のＣＡＳカード」）の欄、コンディショナルアクセスカード毎の認証状況（図４中「ＣＡＳ認証状況」）の欄、および、現在時点でのＥＣＭデータ（図４中「現在のＥＣＭデータ」）の欄は、未だデータが保有されずブランクであり、視聴権限に基づいて放送の視聴を排他的に制限するための「排他フラグ」のデータは何れも「０」である…図４（ａ）。
【００６５】
ステップＳ８０１で受信されたメッセージがＥＣＭメッセージを含むものであると識別されたときには（ステップＳ８０２：Ｙｅｓ）、機器ＩＤ１のテーブルデータにおける「現在のＥＣＭデータ」（当初はデータが保持されていない）を、受信されたＥＣＭメッセージに対応するものに更新する（ステップＳ８０３）…図４（ｂ）。
次いで、管理テーブルの機器ＩＤ１のコンディショナルアクセス（図４図中ＣＡＳと略記）カードに関するデータを参照し、機器ＩＤ１（即ち、想定したシステムにおいては、デジタル放送受信機１）に対応して何れかのコンディショナルアクセスカードが認証されているか否かという認証状況の識別処理を行う（ステップＳ８０４）。この処理は、即ち、何れかのコンディショナルアクセスカードが視聴状態で適用されている（接続中）か否かを識別するものである。
【００６６】
ステップＳ８０４での識別処理の結果として、何れかのコンディショナルアクセスカードが認証済である旨か否かを弁別し（ステップＳ８０５）、認証済であると識別されたときには（ステップＳ８０５：Ｙｅｓ）、管理テーブルの機器ＩＤ１のデータを参照し、機器ＩＤ１に対応して現在接続中のコンディショナルアクセスカードは何れのカードであるかの識別処理を行う（ステップＳ８０６）。
【００６７】
尚、コンディショナルアクセスサーバに接続された機器（デジタル放送受信機１）によって視聴を行おうとする当初の段階では、何れのコンディショナルアクセスカードも承認されておらず、従って、この段階では、ステップＳ８０５の弁別結果は「否」であって（ステップＳ８０５：Ｎｏ）、 “Ｄ”の外部ページ参照記号で繋がりが示された、後述する、図１１のフローチャートに移行する。
ステップＳ８０６での識別処理の結果として、機器ＩＤ１に対応して現在接続中のコンディショナルアクセスカードは１であると弁別されたときには（ステップＳ８０７：Ｙｅｓ）、コンディショナルアクセスカード１へステップＳ８０１で受信されたＥＣＭメッセージを送信する（ステップＳ８０８）。
【００６８】
ステップＳ８０８での送信に応答してコンディショナルアクセスカード１から転送されてくるスクランブル解除鍵を受信し（ステップＳ８０９）、次いで、受信したスクランブル解除鍵をデジタル放送受信機１へ送信する（ステップＳ８１０）。この後、ステップＳ８０１に戻る。デジタル放送受信機１側では、このコンディショナルアクセスカード１から供給されるスクランブル解除鍵によって、受信した放送データにかけられているスクランブルを解除する処理を実行し、放送の視聴を可能にすることができる。
【００６９】
以上の動作において、一般に、ＥＣＭは略２秒程度の間隔で機器側（デジタル放送受信機）において受信されて、逐次、コンディショナルアクセスサーバへと伝送されてくる。このため、当該機器側に対応して何れかのコンディショナルアクセスカードが一旦認証済（使用中）になって以降は、視聴が継続している限り、ステップＳ８０１からステップＳ８１０までの処理が間歇的に繰り返される。
【００７０】
既述のステップＳ８０７で、機器ＩＤ１に対応して現在接続中（認証済）のコンディショナルアクセスカードは１である旨か否かを弁別し、そのコンディショナルアクセスカードは１ではないと弁別されたときには（ステップＳ８０７：Ｎｏ）、コンディショナルアクセスカード２へステップＳ８０１で受信されたＥＣＭメッセージを送信する（ステップＳ８１７）。
【００７１】
次いで、コンディショナルアクセスカード２からスクランブル解除鍵を受信し（ステップＳ８１８）、デジタル放送受信機１へそのスクランブル解除鍵を送信し（ステップＳ８１９）、この後、ステップＳ８０１に戻る。
一方、ステップＳ８０１で受信されたメッセージがＥＣＭメッセージを含んでいないと識別されたときには（ステップＳ８０２：Ｎｏ）、受信されたメッセージはＥＭＭメッセージを含むものであるか否かを識別する（ステップＳ８１１）。
【００７２】
ステップＳ８１１で、受信されたメッセージはＥＭＭメッセージを含むものであると識別されたときには（ステップＳ８１１：Ｙｅｓ）、管理テーブルの機器ＩＤ１のコンディショナルアクセスカードに関するデータを参照し、機器ＩＤ１（この場合は、デジタル放送受信機１）に対応して何れかのコンディショナルアクセスカードが認証されているか否かという認証状況の識別処理を行う（ステップＳ８１２）。この処理は、即ち、何れかのコンディショナルアクセスカードが視聴状態で適用されているか否かを識別するものである。
【００７３】
ステップＳ８１２での識別処理の結果として、何れかのコンディショナルアクセスカードが認証済である旨か否かを弁別し（ステップＳ８１３）、認証済であると識別されたときには（ステップＳ８１３：Ｙｅｓ）、管理テーブルの機器ＩＤ１のデータを参照し、機器ＩＤ１に対応して現在接続中（認証済）のコンディショナルアクセスカードは何れのカードであるかの識別処理を行う（ステップＳ８１４）。ステップＳ８１３で、何れのコンディショナルアクセスカードも認証されていないと弁別されたときには（ステップＳ８１３：Ｎｏ）、そのままステップＳ８０１に戻る。
【００７４】
ステップＳ８１４での識別処理の結果が、機器ＩＤ１に対応して現在接続中（認証済）のコンディショナルアクセスカードは１である旨か否かを弁別し（ステップＳ８１５）、接続中のコンディショナルアクセスカードは１であると弁別されたときには（ステップＳ８１５：Ｙｅｓ）、コンディショナルアクセスカード１へステップＳ８０１で受信されたＥＭＭメッセージを送信する（ステップＳ８１６）。この後、ステップＳ８０１に戻る。
【００７５】
以上の動作において、一般に、ＥＭＭは適時、機器側（デジタル放送受信機）において受信されて、逐次（順次）、コンディショナルアクセスサーバへと伝送されてくる。このため、当該機器側に対応して何れかのコンディショナルアクセスカードが一旦認証済（使用中）になって以降は、視聴が継続している限り、ステップＳ８１１からステップＳ８１６までの処理が間歇的に繰り返される。
【００７６】
他方、ステップＳ８１５で、機器ＩＤ１に対応して現在接続中（認証済）のコンディショナルアクセスカードは１ではないと弁別されたときには（ステップＳ８１５：Ｎｏ）、コンディショナルアクセスカード２へステップＳ８０１で受信されたＥＭＭメッセージを送信して（ステップＳ８２０）、この後、ステップＳ８０１に戻る。
また、既述のステップＳ８１１で、受信されたメッセージはＥＭＭメッセージを含むものではないと識別されたときには（ステップＳ８１１：Ｎｏ）、ステップＳ８０１でデジタル放送受信機１から受信されたメッセージは「視聴可」のメッセージであるか否かを識別する（ステップＳ８２１）。
【００７７】
ステップＳ８２１で、受信されたメッセージは「視聴可」のメッセージであると識別されたときには（ステップＳ８２１：Ｙｅｓ）、管理テーブルの機器ＩＤ１のデータに関する状況を参照して、コンディショナルアクセスに関する現状での認証状況の識別処理を行う（ステップＳ８２２）。
ステップＳ８２２での識別処理の結果、管理テーブルの機器ＩＤ１のデータでは認証済になっているか否かを弁別し（ステップＳ８２３）、認証済であると識別されたときには（ステップＳ８２３：Ｙｅｓ）、ステップＳ８０１に戻る。
【００７８】
一方、ステップＳ８２３で、認証済ではないと識別されたときには（ステップＳ８２３：Ｎｏ）、“Ｂ”の外部ページ参照記号で繋がりが示された図９のフローチャートに移行する。
また、既述のステップＳ８２１で、受信されたメッセージは「視聴可」のメッセージではないと識別されたときには（ステップＳ８２１：Ｎｏ）、“Ｃ”の外部ページ参照記号で繋がりが示された図１０のフローチャートに移行する。
また、既述のように、ステップＳ８０５で、ステップＳ８０４での識別処理の結果が認証済ではない旨であるときには（ステップＳ８０５：Ｎｏ）、“Ｄ”の外部ページ参照記号で繋がりが示された図１１のフローチャートに移行する。
【００７９】
以上の処理フローにおいて、機器ＩＤ１に対応するデジタル放送受信機１は、ＥＣＭを受信して、コンディショナルアクセスサーバからスクランブル解除鍵を受信し、それによって番組の視聴が可能であるという判断処理を経て、初めて、「視聴可」のメッセージをコンディショナルアクセスサーバへ送信する。即ち、デジタル放送受信機１は、ＥＣＭを受信する度に「視聴可」のメッセージを繰り返しコンディショナルアクセスサーバに送信する。尚、視聴不可の場合は「視聴不可」のメッセージを送信する。
コンディショナルアクセスサーバは、当初の「視聴可」のメッセージによってコンディショナルアクセス認証状況を「認証済」に変更するが、これ以降は、「視聴可」メッセージに関する処理を要しなくなるため、ステップＳ８２３の処理が設けてある。
【００８０】
次に、図９の外部ページ参照記号“Ｂ”以降の処理について説明する。図８のフローチャートにおけるステップＳ８０２で、受信されたメッセージがＥＣＭメッセージを含むものではないと識別され（ステップＳ８０２：Ｎｏ）、更に、ステップＳ８１１で、受信されたメッセージはＥＭＭメッセージを含むものではないと識別され（ステップＳ８１１：Ｎｏ）、更にまた、ステップＳ８２１で、受信されたメッセージは「視聴可」のメッセージであると識別され（ステップＳ８２１：Ｙｅｓ）、次いで、管理テーブルの機器ＩＤ１のデータに関する状況を参照して、コンディショナルアクセスに関する現状での認証状況の識別処理を行い（ステップＳ８２２）その結果、管理テーブルの機器ＩＤ１のデータでは認証済になっているか否かを弁別し（ステップＳ８２３）、認証済ではないと識別されたときに（ステップＳ８２３：Ｎｏ）、“Ｂ”の外部ページ参照記号で繋がりが示されたこの図９のフローチャートに移行する。
【００８１】
管理テーブルの機器ＩＤ１のデータでは認証済ではないと識別されたコンディショナルアクセス状況のデータを認証済に更新し（ステップＳ９０１）、次いで、管理テーブルの機器ＩＤ１のデータを参照し、機器ＩＤ１に対応して現在接続中のコンディショナルアクセスカードは何れのカードであるかの識別処理を行う（ステップＳ９０２）。
ステップＳ９０２での識別処理の結果が、機器ＩＤ１に対応して現在接続中（認証済）のコンディショナルアクセスカードは１である旨か否かを弁別し（ステップＳ９０３）、接続中のコンディショナルアクセスカードは１であると弁別されたときには（ステップＳ９０３：Ｙｅｓ）、コンディショナルアクセスカード１へＩＤ要求メッセージを送信する（ステップＳ９０４）。
【００８２】
ステップＳ９０４で送信したＩＤ要求メッセージに応答して、コンディショナルアクセスカード１から転送されてくるＩＤを受信し（ステップＳ９０５）、このＩＤ、即ち、コンディショナルアクセスカード１を表すＣＡＳ＿ＩＤをデジタル放送受信機１に送信する（ステップＳ９０６）。この後、図８のステップＳ８０１に戻る。
一方、ステップＳ９０３で接続中のコンディショナルアクセスカードは１ではないと弁別されたときには（ステップＳ９０３：Ｎｏ）、コンディショナルアクセスカード２へＩＤ要求メッセージを送信する（ステップＳ９０７）。
【００８３】
ステップＳ９０７で送信したＩＤ要求メッセージに応答して、コンディショナルアクセスカード２から転送されてくるＩＤを受信し（ステップＳ９０８）、このＩＤ、即ち、コンディショナルアクセスカード２を表すＣＡＳ＿ＩＤをデジタル放送受信機１に送信する（ステップＳ９０９）。この後、図８のステップＳ８０１に戻る。
次に、図１０の外部ページ参照記号“Ｃ”以降の処理について説明する。図８のフローチャートにおけるステップＳ８０２で、受信されたメッセージがＥＣＭメッセージを含むものではないと識別され（ステップＳ８０２：Ｎｏ）、更に、ステップＳ８１１で、受信されたメッセージはＥＭＭメッセージを含むものではないと識別され（ステップＳ８１１：Ｎｏ）、更にまた、ステップＳ８２１で、受信されたメッセージは「視聴可」のメッセージではないと識別されたときに（ステップＳ８２１：Ｎｏ）、“Ｃ”の外部ページ参照記号で繋がりが示されたこの図１０のフローチャートに移行する。
【００８４】
受信されたメッセージは「視聴可」のメッセージではないと識別されてから（ステップＳ８２１：Ｎｏ）、受信されたメッセージは「視聴不可」のメッセージであると識別されたときには（ステップＳ１００１：Ｙｅｓ）、管理テーブルの機器ＩＤ１のコンディショナルアクセスカードに関するデータを参照し、機器ＩＤ１（この場合は、デジタル放送受信機１）に対応して何れかのコンディショナルアクセスカードが認証されているか否かという認証状況の識別処理を行う（ステップＳ１００２）。この処理は、即ち、何れかのコンディショナルアクセスカードが視聴状態で適用されているか否かを識別するものである。
【００８５】
ステップＳ１００２での識別処理の結果として、何れかのコンディショナルアクセスカードが認証済である旨か否かを弁別し（ステップＳ１００３）、認証済であると識別されたときには（ステップＳ１００３：Ｙｅｓ）、管理テーブルの機器ＩＤ１のデータを初期化して（ステップＳ１００４）、図８のステップＳ８０１に戻る。
一方、ステップＳ１００３で、何れのコンディショナルアクセスカードも未認証であると識別されたときには（ステップＳ１００３：Ｎｏ）、管理テーブルの機器ＩＤ１のコンディショナルアクセスカードに関するデータを参照し、機器ＩＤ１（この場合は、デジタル放送受信機１）に対応して現在接続中のコンディショナルアクセスカードが何れのカードであるかの識別処理を行う（ステップＳ１００５）。
【００８６】
ステップＳ１００５での識別処理の結果が、機器ＩＤ１に対応して現在接続中のコンディショナルアクセスカードは１である旨か否かを弁別し（ステップＳ１００６）、現在接続中のコンディショナルアクセスカードは１であると弁別されたときには（ステップＳ１００６：Ｙｅｓ）、“Ｅ”の外部ページ参照記号で繋がりが示された図１１のフローチャートに移行する。
また、ステップＳ１００６で、現在接続中のコンディショナルアクセスカードは１ではないと弁別されたときには（ステップＳ１００６：Ｎｏ）、管理テーブルの機器ＩＤ１のデータにおける排他フラグの状況を識別する（ステップＳ１００７）。
【００８７】
ステップＳ１００７の識別結果として排他フラグが立っているか否かを判別し（ステップＳ１００８）、排他フラグが立っていないと判別されたときには（ステップＳ１００８：Ｎｏ）、管理テーブルの機器ＩＤ１のデータを初期化して（ステップＳ１００９）、デジタル放送受信機１に未契約のメッセージを送信し（ステップＳ１０１０）、その後、図８のステップＳ８０１に戻る。
一方、ステップＳ１００８で、排他フラグが立っていると判別されたときには（ステップＳ１００８：Ｙｅｓ）、管理テーブルの機器ＩＤ１のデータを初期化して（ステップＳ１０１１）、デジタル放送受信機１に排他メッセージを送信し（ステップＳ１０１２）、その後、図８のステップＳ８０１に戻る。
【００８８】
次に、図１１の外部ページ参照記号“Ｄ”および“Ｅ”以降の処理について説明する。図８のフローチャートを参照して既述のとおり、コンディショナルアクセスサーバに接続された機器（デジタル放送受信機１）によって視聴を行おうとする当初の段階では、何れのコンディショナルアクセスカードも承認されていない。この当初の段階においては、何れかのコンディショナルアクセスカードが認証済である旨か否かの弁別ステップＳ８０５での弁別の結果は必然的に「否」である（ステップＳ８０５：Ｎｏ）。従って、 “Ｄ”の外部ページ参照記号で繋がりが示されたとおり、この図１１のフローチャートに従うことになる。
【００８９】
管理テーブルの機器ＩＤ２のデータを参照し、機器ＩＤ２に対応して現在接続中のコンディショナルアクセスカードは何れのカードであるかの識別処理を行い（ステップＳ１１０１）、ステップＳ１１０１での識別処理の結果として、現在機器ＩＤ２に接続中のコンディショナルアクセスカードは１であると識別されたか否かを弁別する（ステップＳ１１０２）。
【００９０】
機器ＩＤ２に対応して現在接続中のコンディショナルアクセスカードは１であると弁別されたときには（ステップＳ１１０２：Ｙｅｓ）、次いで、管理テーブルの機器ＩＤ２のコンディショナルアクセス（図中ＣＡＳと略記）カードに関するデータを参照し、機器ＩＤ２（即ち、想定したシステムにおいては、デジタル放送受信機２）に対応して何れかのコンディショナルアクセスカードが認証されているか否かという認証状況の識別処理を行う（ステップＳ１１０３）。この処理は、即ち、何れかのコンディショナルアクセスカードが視聴状態で適用されている（接続中）か否かを識別するものである。
【００９１】
ステップＳ１１０３での識別処理の結果として、機器ＩＤ２に対応して何れかのコンディショナルアクセスカードが認証済である旨か否かを弁別し（ステップＳ１１０４）、認証済であると識別されたときには（ステップＳ１１０４：Ｙｅｓ）、管理テーブルの機器ＩＤ１に関するＥＣＭと機器ＩＤ２に関するＥＣＭとを比較する（ステップＳ１１０５）。
【００９２】
この比較は機器ＩＤ１に該当する機器（本例では、デジタル放送受信機１）と機器ＩＤ２に該当する機器（本例では、デジタル放送受信機２）が同一のコンディショナルアクセスカード（ここではＣＡＳ１）に接続され、且つ、同じ番組（同一のＥＣＭ）を視聴しようとしているかどうかを判断するためのものである。
即ち、ステップＳ１１０１からステップＳ１１０４では、機器ＩＤ２に該当する機器（デジタル放送受信機２）が機器ＩＤ１に該当する機器（デジタル放送受信機１）に先んじて何らかの番組視聴を行っているかどうかを判断しており、デジタル放送受信機２がコンディショナルアクセスカード１を使用して既に番組視聴している場合には、デジタル放送受信機１は同一のコンディショナルアクセスカード且つ同一のＥＣＭで視聴することはできない。
【００９３】
ステップＳ１１０５での比較の結果を弁別し（ステップＳ１１０６）、双方のＥＣＭが異なるときには（ステップＳ１１０６：Ｙｅｓ）、管理テーブルの機器ＩＤ１に関するデータとして、コンディショナルアクセスカード１を対応付け（ステップＳ１１０７）、コンディショナルアクセスカード１へステップＳ８０１（図８）で受信されたＥＣＭメッセージを送信する（ステップＳ１１０８）。
【００９４】
Ｓ１１０６でＥＣＭが異なるということは（ステップＳ１１０６：Ｙｅｓ）、機器ＩＤ２に該当する機器（デジタル放送受信機２）が既にコンディショナルアクセスカード１に接続中で認証済（使用中）であり、機器ＩＤ１に該当する機器（デジタル放送受信機１）が同一のコンディショナルアクセスカード１で視聴を開始しようとしている状況ではあるが、ＥＣＭが異なるのでデジタル放送受信機１はデジタル放送受信機２と違う番組を視聴しようとしているということを意味している。このような場合には、同一のコンディショナルアクセスカード１へＥＣＭを送信することが許容される。
【００９５】
ステップＳ１１０８でのＥＣＭメッセージの送信に応答してコンディショナルアクセスカード１から転送されてくるスクランブル解除鍵を受信し（ステップＳ１１０９）、次いで、受信したスクランブル解除鍵をデジタル放送受信機１へ送信する（ステップＳ１１１０）。この後、ステップＳ８０１（図８）に戻る。
デジタル放送受信機１側では、このコンディショナルアクセスカード１から供給されるスクランブル解除鍵によって、受信した放送データにかけられているスクランブルを解除する処理を実行し、放送の視聴を可能にすることができる。
【００９６】
一方、ステップＳ１１０２で、機器ＩＤ２に対応して現在接続中のコンディショナルアクセスカードは１ではないと弁別されたとき（ステップＳ１１０２：Ｎｏ）、および、ステップＳ１１０４で、機器ＩＤ２に対応して何れのコンディショナルアクセスカードも未認証である旨が弁別されたときには（ステップＳ１１０４：Ｎｏ）、直ちに、既述のステップＳ１１０７に移行する。
【００９７】
他方、ステップＳ１１０６で、管理テーブルの機器ＩＤ１に関するＥＣＭと機器ＩＤ２に関するＥＣＭとの双方のＥＣＭが同一であると弁別されたときには（ステップＳ１１０６：Ｎｏ）、管理テーブルの機器ＩＤ１に関するデータとして、排他フラグを１に設定し（ステップＳ１１１５）、ステップＳ１１２１に移行する。
このステップＳ１１０６で双方のＥＣＭが同一であるということは、即ち、機器ＩＤ１に該当する機器（本例では、デジタル放送受信機１）はコンディショナルアクセスカード１を使用して視聴を開始しようとしたが機器ＩＤ２に該当する機器（デジタル放送受信機２）が同一のコンディショナルアクセスカード１に接続し且つ同一の番組（同一のＥＣＭ）を視聴しているということである。
【００９８】
従って、デジタル放送受信機１としてはコンディショナルアクセスカード１については一時的に排他状態を保持する必要があり、その後コンディショナルアクセスカード２での視聴を試みることになる。
図１０のフローチャートを参照して説明したとおり、認証済のコンディショナルアクセスカードは１であると弁別されたときには（ステップＳ１００６：Ｙｅｓ）、“Ｅ”の外部ページ参照記号で繋がりが示された図１１のフローチャート（ステップＳ１１２１）に移行する。ステップＳ１１２１では、機器ＩＤ２（この場合は、デジタル放送受信機２）に対応して何れかのコンディショナルアクセスカードが認証されているか否かという認証状況の識別処理を行う。
【００９９】
ステップＳ１１２１での認証状況の識別処理の結果として、現在機器ＩＤ２に接続中のコンディショナルアクセスカードは２であると識別されたか否かを弁別する（ステップＳ１１２２）。
機器ＩＤ２に対応して現在接続中のコンディショナルアクセスカードは２であると弁別されたときには（ステップＳ１１２２：Ｙｅｓ）、次いで、管理テーブルの機器ＩＤ２のコンディショナルアクセス（図中ＣＡＳと略記）カードに関するデータを参照し、機器ＩＤ２（即ち、想定したシステムにおいては、デジタル放送受信機２）に対応して何れかのコンディショナルアクセスカードが認証されているか否かという認証状況の識別処理を行う（ステップＳ１１２３）。この処理は、即ち、何れかのコンディショナルアクセスカードが視聴状態で適用されている（接続中）か否かを識別するものである。
【０１００】
ステップＳ１１２３での識別処理の結果として、機器ＩＤ２に対応して何れかのコンディショナルアクセスカードが認証済である旨か否かを弁別し（ステップＳ１１２４）、認証済であると識別されたときには（ステップＳ１１２４：Ｙｅｓ）、管理テーブルの機器ＩＤ１に関するＥＣＭと機器ＩＤ２に関するＥＣＭとを比較する（ステップＳ１１２５）。
ステップＳ１１２５における比較は、機器ＩＤ１に該当する機器（本例ではデジタル放送受信機１）と機器ＩＤ２に該当する機器（本例ではデジタル放送受信機２）が同一のコンディショナルアクセスカード（ここではＣＡＳ２）に接続され、且つ、同じ番組（同一のＥＣＭ）を視聴しようとしているかどうかを判断するためのものである。
【０１０１】
即ち、ステップＳ１１２１からステップＳ１１２４では、機器ＩＤ２に該当する機器（デジタル放送受信機２）がコンディショナルアクセスカード２を使用して、機器ＩＤ１に該当する機器（デジタル放送受信機１）に先んじて何らかの番組視聴を行っているかどうかを判断しており、デジタル放送受信機２がコンディショナルアクセスカード２を使用して既に番組視聴している場合には、デジタル放送受信機１は同一のコンディショナルアクセスカード２且つ同一のＥＣＭで視聴することはできない。
【０１０２】
ステップＳ１１２５での比較の結果を弁別し（ステップＳ１１２６）、双方のＥＣＭが異なるときには（ステップＳ１１２６：Ｙｅｓ）、管理テーブルの機器ＩＤ１に関するデータとして、コンディショナルアクセスカード２を対応付け（ステップＳ１１２７）、コンディショナルアクセスカード２へステップＳ８０１（図８）で受信されたＥＣＭメッセージを送信する（ステップＳ１１２８）。
【０１０３】
この場合は、同一のコンディショナルアクセスカード2に対するアクセスであるが、ＥＣＭが同一ではないのでデジタル放送受信機１はコンディショナルアクセスカード2を使用してデジタル放送受信機２と異なる番組の視聴を開始する。
ステップＳ１１２８でのＥＣＭメッセージの送信に応答してコンディショナルアクセスカード２から転送されてくるスクランブル解除鍵を受信し（ステップＳ１１２９）、次いで、受信したスクランブル解除鍵をデジタル放送受信機１へ送信する（ステップＳ１１３０）。この後、ステップＳ８０１（図８）に戻る。
【０１０４】
尚、ステップＳ１１２６で、管理テーブルの機器ＩＤ１に関するＥＣＭと機器ＩＤ２に関するＥＣＭが異なるものではないと弁別されたときには（ステップＳ１１２６：Ｎｏ）、管理テーブルの機器ＩＤ１のデータを初期化して（ステップＳ１１３１）、デジタル放送受信機１に排他メッセージを送信し（ステップＳ１１３２）、その後、図８のステップＳ８０１に戻る。
【０１０５】
以上、図８〜図１１の処理において、視聴を始めようとする当初から、解除鍵がデジタル放送受信機１で取得されるまでは、次の処理フロー（１−１）に従って処理が順次実行される：
図８のステップＳ８０１→ステップＳ８０２→ステップＳ８０３→ステップＳ８０４→ステップＳ８０５→図８のＤ→図１１のＤ→ステップＳ１１０１→ステップＳ１１０２→ステップＳ１１０７→ステップＳ１１０８→ステップＳ１１０９→ステップＳ１１１０→Ａ………………処理フロー（１−１）
【０１０６】
既述のように、当初、ステップＳ８０２の段階では、管理テーブルは初期状態にある。また、接続中のコンディショナルアクセスカード（図４中「接続中のＣＡＳカード」）の欄、コンディショナルアクセスカード毎の認証状況（図４中「ＣＡＳ認証状況」）の欄、および、現在時点でのＥＣＭデータ（図４中「現在のＥＣＭデータ」）の欄は、未だデータが保有されずブランクであり、視聴権限に基づいて放送の視聴を排他的に許容するための「排他フラグ」のデータは何れも「０」である…図４（ａ）。
【０１０７】
また、ステップＳ８０１で受信されたメッセージがＥＣＭメッセージを含むものであると識別されたときには（ステップＳ８０２：Ｙｅｓ）、機器ＩＤ１のテーブルデータにおける「現在のＥＣＭデータ」（当初はデータが保持されていない）を、受信されたＥＣＭメッセージに対応するものに更新する（ステップＳ８０３）…図４（ｂ）。
更に、ステップＳ１１０７で、機器ＩＤ１のテーブルデータにおける「接続中のＣＡＳカード」（当初はデータが保持されていない）が、現状に対応する「ＣＡＳ１」に更新される…図４（ｃ）。
【０１０８】
次いで、認証が完了するまでは、次の処理フロー（１−２）によって処理が実行される。
図８のステップＳ８０１→ステップＳ８０２→ステップＳ８１１→ステップＳ８２１→ステップＳ８２２→ステップＳ８２３→図８のＢ→図９のＢ→ステップＳ９０１→ステップＳ９０２→ステップＳ９０３→ステップＳ９０４→ステップＳ９０５→ステップＳ９０６→Ａ………………処理フロー（１−２）
ステップＳ９０１で、機器ＩＤ１のテーブルデータにおける「ＣＡＳ認証状況」が、現状に対応するように「認証済」に更新される……図４（ｄ）。
【０１０９】
以上に次いで、次の、処理フロー（１−３）および処理フロー（１−４）が、処理フロー１および処理フロー２を経て確立した視聴可能な状態が維持されている限り繰り返される。
図８のステップＳ８０１→ステップＳ８０２→ステップＳ８０３→ステップＳ８０４→ステップＳ８０５→ステップＳ８０６→ステップＳ８０７→ステップＳ８０８→ステップＳ８０９→ステップＳ８１０→Ａ………………処理フロー（１−３）
および、
図８のステップＳ８０１→ステップＳ８０２→ステップＳ８１１→ステップＳ８２１→ステップＳ８２２→ステップＳ８２３→Ａ………………処理フロー（１−４）
図１２ないし図１５は、コンディショナルアクセスサーバの動作（デジタル放送受信機２で放送を視聴する場合）に関するフローチャートである。
【０１１０】
また、図１６は、コンディショナルアクセスサーバが保有する管理テーブルにおける管理データが図１２ないし図１５のフローチャートの動作に関連して遷移する状況を表わす図である。この説明で想定している場合においては、本コンディショナルアクセスサーバと結ばれた機器について、機器ＩＤ１はデジタル放送受信機１に対応し、機器ＩＤ２はデジタル放送受信機２に対応する。
【０１１１】
図１２のフローチャートにおいて、コンディショナルアクセスサーバは、動作を開始後、デジタル放送受信機２からのメッセージをネットワーク経由で受信すると（ステップＳ１２０１）、次いで、受信されたメッセージがＥＣＭメッセージを含むものであるか否かを識別する（ステップＳ１２０２）。
このステップＳ１２０２の段階では、管理テーブルは初期状態にある。また、接続中のコンディショナルアクセスカード（図１６中「接続中のＣＡＳカード」）の欄、コンディショナルアクセスカード毎の認証状況（図１６中「ＣＡＳ認証状況」）の欄、および、現在時点でのＥＣＭデータ（図１６中「現在のＥＣＭデータ」）の欄は、未だデータが保有されずブランクであり、視聴権限に基づいて放送の視聴を排他的に制限するための「排他フラグ」のデータは何れも「０」である…図１６（ａ）。
【０１１２】
ステップＳ１２０１で受信されたメッセージがＥＣＭメッセージを含むものであると識別されたときには（ステップＳ１２０２：Ｙｅｓ）、機器ＩＤ２のテーブルデータにおける「現在のＥＣＭデータ」（当初はデータが保持されていない）を、受信されたＥＣＭメッセージに対応するものに更新する（ステップＳ１２０３）…図１６（ｂ）。
次いで、管理テーブルの機器ＩＤ２のコンディショナルアクセス（図１６図中ＣＡＳと略記）カードに関するデータを参照し、機器ＩＤ２（即ち、想定したシステムにおいては、デジタル放送受信機２）に対応して何れかのコンディショナルアクセスカードが認証されているか否かという認証状況の識別処理を行う（ステップＳ１２０４）。この処理は、即ち、何れかのコンディショナルアクセスカードが視聴状態で適用されている（接続中）か否かを識別するものである。
【０１１３】
ステップＳ１２０４での識別処理の結果として、何れかのコンディショナルアクセスカードが認証済である旨か否かを弁別し（ステップＳ１２０５）、認証済であると識別されたときには（ステップＳ１２０５：Ｙｅｓ）、管理テーブルの機器ＩＤ２のデータを参照し、機器ＩＤ２に対応して現在接続中のコンディショナルアクセスカードは何れのカードであるかの識別処理を行う（ステップＳ１２０６）。
【０１１４】
尚、コンディショナルアクセスサーバに接続された機器（デジタル放送受信機２）によって視聴を行おうとする当初の段階では、何れのコンディショナルアクセスカードも承認されておらず、従って、この段階では、ステップＳ１２０５の弁別結果は「否」であって（ステップＳ１２０５：Ｎｏ）、 “Ｉ”の外部ページ参照記号で繋がりが示された、後述する、図１５のフローチャートに移行する。
【０１１５】
ステップＳ１２０６での識別処理の結果として、機器ＩＤ２に対応して現在接続中のコンディショナルアクセスカードは１であると弁別されたときには（ステップＳ１２０７：Ｙｅｓ）、コンディショナルアクセスカード１へステップＳ１２０１で受信されたＥＣＭメッセージを送信する（ステップＳ１２０８）。
ステップＳ１２０８での送信に応答してコンディショナルアクセスカード１から転送されてくるスクランブル解除鍵を受信し（ステップＳ１２０９）、次いで、受信したスクランブル解除鍵をデジタル放送受信機２へ送信する（ステップＳ１２１０）。この後、ステップＳ１２０１に戻る。デジタル放送受信機２側では、このコンディショナルアクセスカード１から供給されるスクランブル解除鍵によって、受信した放送データにかけられているスクランブルを解除する処理を実行し、放送の視聴を可能にすることができる。
【０１１６】
以上の動作において、一般に、ＥＣＭは略２秒程度の間隔で機器側（デジタル放送受信機）において受信されて、逐次、コンディショナルアクセスサーバへと伝送されてくる。このため、当該機器側に対応して何れかのコンディショナルアクセスカードが一旦認証済（使用中）になって以降は、視聴が継続している限り、ステップＳ１２０１からステップＳ１２１０までの処理が間歇的に繰り返される。
【０１１７】
既述のステップＳ１２０７で、機器ＩＤ２に対応して現在接続中（認証済）のコンディショナルアクセスカードは１である旨か否かを弁別し、そのコンディショナルアクセスカードは１ではないと弁別されたときには（ステップＳ１２０７：Ｎｏ）、コンディショナルアクセスカード２へステップＳ１２０１で受信されたＥＣＭメッセージを送信する（ステップＳ１２１７）。
【０１１８】
次いで、コンディショナルアクセスカード２からスクランブル解除鍵を受信し（ステップＳ１２１８）、デジタル放送受信機２へそのスクランブル解除鍵を送信し（ステップＳ１２１９）、この後、ステップＳ１２０１に戻る。
一方、ステップＳ１２０１で受信されたメッセージがＥＣＭメッセージを含んでいないと識別されたときには（ステップＳ１２０２：Ｎｏ）、受信されたメッセージはＥＭＭメッセージを含むものであるか否かを識別する（ステップＳ１２１１）。
【０１１９】
ステップＳ１２１１で、受信されたメッセージはＥＭＭメッセージを含むものであると識別されたときには（ステップＳ１２１１：Ｙｅｓ）、管理テーブルの機器ＩＤ２のコンディショナルアクセスカードに関するデータを参照し、機器ＩＤ２（この場合は、デジタル放送受信機２）に対応して何れかのコンディショナルアクセスカードが認証されているか否かという認証状況の識別処理を行う（ステップＳ１２１２）。この処理は、即ち、何れかのコンディショナルアクセスカードが視聴状態で適用されているか否かを識別するものである。
【０１２０】
ステップＳ１２１２での識別処理の結果として、何れかのコンディショナルアクセスカードが認証済である旨か否かを弁別し（ステップＳ１２１３）、認証済であると識別されたときには（ステップＳ１２１３：Ｙｅｓ）、管理テーブルの機器ＩＤ２のデータを参照し、機器ＩＤ２に対応して現在接続中（認証済）のコンディショナルアクセスカードは何れのカードであるかの識別処理を行う（ステップＳ１２１４）。ステップＳ１２１３で、何れのコンディショナルアクセスカードも認証されていないと弁別されたときには（ステップＳ１２１３：Ｎｏ）、そのままステップＳ１２０１に戻る。
【０１２１】
ステップＳ１２１４での識別処理の結果が、機器ＩＤ２に対応して現在接続中（認証済）のコンディショナルアクセスカードは１である旨か否かを弁別し（ステップＳ１２１５）、接続中のコンディショナルアクセスカードは１であると弁別されたときには（ステップＳ１２１５：Ｙｅｓ）、コンディショナルアクセスカード１へステップＳ１２０１で受信されたＥＭＭメッセージを送信する（ステップＳ１２１６）。この後、ステップＳ１２０１に戻る。
【０１２２】
以上の動作において、一般に、ＥＭＭは適時、機器側（デジタル放送受信機）において受信されて、逐次（順次）、コンディショナルアクセスサーバへと伝送されてくる。このため、当該機器側に対応して何れかのコンディショナルアクセスカードが一旦認証済（使用中）になって以降は、視聴が継続している限り、ステップＳ１２１１からステップＳ１２１６までの処理が間歇的に繰り返される。
【０１２３】
他方、ステップＳ１２１５で、機器ＩＤ２に対応して現在接続中（認証済）のコンディショナルアクセスカードは１ではないと弁別されたときには（ステップＳ１２１５：Ｎｏ）、コンディショナルアクセスカード２へステップＳ１２０１で受信されたＥＭＭメッセージを送信して（ステップＳ１２２０）、この後、ステップＳ１２０１に戻る。
また、既述のステップＳ１２１１で、受信されたメッセージはＥＭＭメッセージを含むものではないと識別されたときには（ステップＳ１２１１：Ｎｏ）、ステップＳ１２０１でデジタル放送受信機２から受信されたメッセージは「視聴可」のメッセージであるか否かを識別する（ステップＳ１２２１）。
【０１２４】
ステップＳ１２２１で、受信されたメッセージは「視聴可」のメッセージであると識別されたときには（ステップＳ１２２１：Ｙｅｓ）、管理テーブルの機器ＩＤ２のデータに関する状況を参照して、コンディショナルアクセスに関する現状での認証状況の識別処理を行う（ステップＳ１２２２）。
ステップＳ１２２２での識別処理の結果、管理テーブルの機器ＩＤ２のデータでは認証済になっているか否かを弁別し（ステップＳ１２２３）、認証済であると識別されたときには（ステップＳ１２２３：Ｙｅｓ）、ステップＳ１２０１に戻る。
【０１２５】
一方、ステップＳ１２２３で、認証済ではないと識別されたときには（ステップＳ１２２３：Ｎｏ）、“Ｇ”の外部ページ参照記号で繋がりが示された図１３のフローチャートに移行する。
また、既述のステップＳ１２２１で、受信されたメッセージは「視聴可」のメッセージではないと識別されたときには（ステップＳ１２２１：Ｎｏ）、”Ｈ”の外部ページ参照記号で繋がりが示された図１４のフローチャートに移行する。
また、既述のように、ステップＳ１２０５で、ステップＳ１２０４での識別処理の結果が認証済ではない旨であるときには（ステップＳ１２０５：Ｎｏ）、“Ｉ”の外部ページ参照記号で繋がりが示された図１５のフローチャートに移行する。
【０１２６】
以上の処理フローにおいて、機器ＩＤ２に対応するデジタル放送受信機２は、ＥＣＭを受信して、コンディショナルアクセスサーバからスクランブル解除鍵を受信し、それによって番組の視聴が可能であるという判断処理を経て、初めて、「視聴可」のメッセージをコンディショナルアクセスサーバへ送信する。即ち、デジタル放送受信機２は、ＥＣＭを受信する度に「視聴可」のメッセージを繰り返しコンディショナルアクセスサーバに送信する。尚、視聴不可の場合は「視聴不可」のメッセージを送信する。
コンディショナルアクセスサーバは、当初の「視聴可」のメッセージによってコンディショナルアクセス認証状況を「認証済」に変更するが、これ以降は、「視聴可」メッセージに関する処理を要しなくなるため、ステップＳ１２２３の処理が設けてある。
【０１２７】
次に、図１３の外部ページ参照記号“Ｇ”以降の処理について説明する。図１２のフローチャートにおけるステップＳ１２０２で、受信されたメッセージがＥＣＭメッセージを含むものではないと識別され（ステップＳ１２０２：Ｎｏ）、更に、ステップＳ１２１１で、受信されたメッセージはＥＭＭメッセージを含むものではないと識別され（ステップＳ１２１１：Ｎｏ）、更にまた、ステップＳ１２２１で、受信されたメッセージは「視聴可」のメッセージであると識別され（ステップＳ１２２１：Ｙｅｓ）、次いで、管理テーブルの機器ＩＤ２のデータに関する状況を参照して、コンディショナルアクセスに関する現状での認証状況の識別処理を行い（ステップＳ１２２２）その結果、管理テーブルの機器ＩＤ２のデータでは認証済になっているか否かを弁別し（ステップＳ１２２３）、認証済ではないと識別されたときに（ステップＳ１２２３：Ｎｏ）、“Ｇ”の外部ページ参照記号で繋がりが示されたこの図１３のフローチャートに移行する。
【０１２８】
管理テーブルの機器ＩＤ２のデータでは認証済ではないと識別されたコンディショナルアクセス状況のデータを認証済に更新し（ステップＳ１３０１）、次いで、管理テーブルの機器ＩＤ２のデータを参照し、機器ＩＤ２に対応して現在接続中のコンディショナルアクセスカードは何れのカードであるかの識別処理を行う（ステップＳ１３０２）。
ステップＳ１３０２での識別処理の結果が、機器ＩＤ２に対応して現在接続中（認証済）のコンディショナルアクセスカードは１である旨か否かを弁別し（ステップＳ１３０３）、接続中のコンディショナルアクセスカードは１であると弁別されたときには（ステップＳ１３０３：Ｙｅｓ）、コンディショナルアクセスカード１へＩＤ要求メッセージを送信する（ステップＳ１３０４）。
【０１２９】
ステップＳ１３０４で送信したＩＤ要求メッセージに応答して、コンディショナルアクセスカード１から転送されてくるＩＤを受信し（ステップＳ１３０５）、このＩＤ、即ち、コンディショナルアクセスカード１を表すＣＡＳ＿ＩＤをデジタル放送受信機２に送信する（ステップＳ１３０６）。この後、図１２のステップＳ１２０１に戻る。
一方、ステップＳ１３０３で接続中のコンディショナルアクセスカードは１ではないと弁別されたときには（ステップＳ１３０３：Ｎｏ）、コンディショナルアクセスカード２へＩＤ要求メッセージを送信する（ステップＳ１３０７）。
ステップＳ１３０７で送信したＩＤ要求メッセージに応答して、コンディショナルアクセスカード２から転送されてくるＩＤを受信し（ステップＳ１３０８）、このＩＤ、即ち、コンディショナルアクセスカード２を表すＣＡＳ＿ＩＤをデジタル放送受信機２に送信する（ステップＳ１３０９）。この後、図１２のステップＳ１２０１に戻る。
【０１３０】
次に、図１４の外部ページ参照記号”Ｈ”以降の処理について説明する。図１２のフローチャートにおけるステップＳ１２０２で、受信されたメッセージがＥＣＭメッセージを含むものではないと識別され（ステップＳ１２０２：Ｎｏ）、更に、ステップＳ１２１１で、受信されたメッセージはＥＭＭメッセージを含むものではないと識別され（ステップＳ１２１１：Ｎｏ）、更にまた、ステップＳ１２２１で、受信されたメッセージは「視聴可」のメッセージではないと識別されたときに（ステップＳ１２２１：Ｎｏ）、”Ｈ”の外部ページ参照記号で繋がりが示されたこの図１４のフローチャートに移行する。
【０１３１】
受信されたメッセージは「視聴可」のメッセージではないと識別されてから（ステップＳ１２２１：Ｎｏ）、受信されたメッセージは「視聴不可」のメッセージであると識別されたときには（ステップＳ１４０１：Ｙｅｓ）、管理テーブルの機器ＩＤ２のコンディショナルアクセスカードに関するデータを参照し、機器ＩＤ２（この場合は、デジタル放送受信機２）に対応して何れかのコンディショナルアクセスカードが認証されているか否かという認証状況の識別処理を行う（ステップＳ１４０２）。この処理は、即ち、何れかのコンディショナルアクセスカードが視聴状態で適用されているか否かを識別するものである。
【０１３２】
ステップＳ１４０２での識別処理の結果として、何れかのコンディショナルアクセスカードが認証済である旨か否かを弁別し（ステップＳ１４０３）、認証済であると識別されたときには（ステップＳ１４０３：Ｙｅｓ）、管理テーブルの機器ＩＤ２のデータを初期化して（ステップＳ１４０４）、図１２のステップＳ１２０１に戻る。
一方、ステップＳ１４０３で、何れのコンディショナルアクセスカードも未認証であると識別されたときには（ステップＳ１４０３：Ｎｏ）、管理テーブルの機器ＩＤ２のコンディショナルアクセスカードに関するデータを参照し、機器ＩＤ２（この場合は、デジタル放送受信機２）に対応して現在接続中のコンディショナルアクセスカードが何れのカードであるかの識別処理を行う（ステップＳ１４０５）。
【０１３３】
ステップＳ１４０５での識別処理の結果が、機器ＩＤ２に対応して現在接続中のコンディショナルアクセスカードは１である旨か否かを弁別し（ステップＳ１４０６）、現在接続中のコンディショナルアクセスカードは１であると弁別されたときには（ステップＳ１４０６：Ｙｅｓ）、”Ｊ”の外部ページ参照記号で繋がりが示された図１５のフローチャートに移行する。
また、ステップＳ１４０６で、現在接続中のコンディショナルアクセスカードは１ではないと弁別されたときには（ステップＳ１４０６：Ｎｏ）、管理テーブルの機器ＩＤ２のデータにおける排他フラグの状況を識別する（ステップＳ１４０７）。
【０１３４】
ステップＳ１４０７の識別結果として排他フラグが立っているか否かを判別し（ステップＳ１４０８）、排他フラグが立っていないと判別されたときには（ステップＳ１４０８：Ｎｏ）、管理テーブルの機器ＩＤ２のデータを初期化して（ステップＳ１４０９）、デジタル放送受信機２に未契約のメッセージを送信し（ステップＳ１４１０）、その後、図１２のステップＳ１２０１に戻る。
一方、ステップＳ１４０８で、排他フラグが立っていると判別されたときには（ステップＳ１４０８：Ｙｅｓ）、管理テーブルの機器ＩＤ２のデータを初期化して（ステップＳ１４１１）、デジタル放送受信機２に排他メッセージを送信し（ステップＳ１４１２）、その後、図１２のステップＳ１２０１に戻る。
【０１３５】
次に、図１５の外部ページ参照記号“Ｉ”および”Ｊ”以降の処理について説明する。図１２のフローチャートを参照して既述のとおり、コンディショナルアクセスサーバに接続された機器（デジタル放送受信機２）によって視聴を行おうとする当初の段階では、何れのコンディショナルアクセスカードも承認されていない。この当初の段階においては、何れかのコンディショナルアクセスカードが認証済である旨か否かの弁別ステップＳ１２０５での弁別の結果は必然的に「否」である（ステップＳ１２０５：Ｎｏ）。従って、 “Ｉ”の外部ページ参照記号で繋がりが示されたとおり、この図１５のフローチャートに従うことになる。
【０１３６】
管理テーブルの機器ＩＤ１のデータを参照し、機器ＩＤ１に対応して現在接続中のコンディショナルアクセスカードは何れのカードであるかの識別処理を行い（ステップＳ１５０１）、ステップＳ１５０１での識別処理の結果として、現在機器ＩＤ１に接続中のコンディショナルアクセスカードは１であると識別されたか否かを弁別する（ステップＳ１５０２）。
【０１３７】
機器ＩＤ１に対応して現在接続中のコンディショナルアクセスカードは１であると弁別されたときには（ステップＳ１５０２：Ｙｅｓ）、次いで、管理テーブルの機器ＩＤ１のコンディショナルアクセス（図中ＣＡＳと略記）カードに関するデータを参照し、機器ＩＤ１（即ち、想定したシステムにおいては、デジタル放送受信機１）に対応して何れかのコンディショナルアクセスカードが認証されているか否かという認証状況の識別処理を行う（ステップＳ１５０３）。この処理は、即ち、何れかのコンディショナルアクセスカードが視聴状態で適用されている（接続中）か否かを識別するものである。
【０１３８】
ステップＳ１５０３での識別処理の結果として、機器ＩＤ１に対応して何れかのコンディショナルアクセスカードが認証済である旨か否かを弁別し（ステップＳ１５０４）、認証済であると識別されたときには（ステップＳ１５０４：Ｙｅｓ）、管理テーブルの機器ＩＤ２に関するＥＣＭと機器ＩＤ１に関するＥＣＭとを比較する（ステップＳ１５０５）。
【０１３９】
この比較は機器ＩＤ２に該当する機器（本例では、デジタル放送受信機２）と機器ＩＤ１に該当する機器（本例では、デジタル放送受信機１）が同一のコンディショナルアクセスカード（ここではＣＡＳ１）に接続され、且つ、同じ番組（同一のＥＣＭ）を視聴しようとしているかどうかを判断するためのものである。
即ち、ステップＳ１５０１からステップＳ１５０４では、機器ＩＤ１に該当する機器（デジタル放送受信機１）が機器ＩＤ２に該当する機器（デジタル放送受信機２）に先んじて何らかの番組視聴を行っているかどうかを判断しており、デジタル放送受信機１がコンディショナルアクセスカード１を使用して既に番組視聴している場合には、デジタル放送受信機２は同一のコンディショナルアクセスカード且つ同一のＥＣＭで視聴することはできない。
【０１４０】
ステップＳ１５０５での比較の結果を弁別し（ステップＳ１５０６）、双方のＥＣＭが異なるときには（ステップＳ１５０６：Ｙｅｓ）、管理テーブルの機器ＩＤ２に関するデータとして、コンディショナルアクセスカード１を対応付け（ステップＳ１５０７）、コンディショナルアクセスカード１へステップＳ１２０１（図１２）で受信されたＥＣＭメッセージを送信する（ステップＳ１５０８）。
【０１４１】
Ｓ１５０６でＥＣＭが異なるということは（ステップＳ１５０６：Ｙｅｓ）、機器ＩＤ１に該当する機器（デジタル放送受信機１）が既にコンディショナルアクセスカード１に接続中で認証済（使用中）であり、機器ＩＤ２に該当する機器（デジタル放送受信機２）が同一のコンディショナルアクセスカード１で視聴を開始しようとしている状況ではあるが、ＥＣＭが異なるのでデジタル放送受信機２はデジタル放送受信機１と違う番組を視聴しようとしているということを意味している。このような場合には、同一のコンディショナルアクセスカード１へＥＣＭを送信することが許容される。
【０１４２】
ステップＳ１５０８でのＥＣＭメッセージの送信に応答してコンディショナルアクセスカード１から転送されてくるスクランブル解除鍵を受信し（ステップＳ１５０９）、次いで、受信したスクランブル解除鍵をデジタル放送受信機２へ送信する（ステップＳ１５１０）。この後、ステップＳ１２０１（図１２）に戻る。
デジタル放送受信機２側では、このコンディショナルアクセスカード１から供給されるスクランブル解除鍵によって、受信した放送データにかけられているスクランブルを解除する処理を実行し、放送の視聴を可能にすることができる。
【０１４３】
一方、ステップＳ１５０２で、機器ＩＤ２に対応して現在接続中のコンディショナルアクセスカードは１ではないと弁別されたとき（ステップＳ１５０２：Ｎｏ）、および、ステップＳ１５０４で、機器ＩＤ２に対応して何れのコンディショナルアクセスカードも未認証である旨が弁別されたときには（ステップＳ１５０４：Ｎｏ）、直ちに、既述のステップＳ１５０７に移行する。
【０１４４】
他方、ステップＳ１５０６で、管理テーブルの機器ＩＤ２に関するＥＣＭと機器ＩＤ１に関するＥＣＭとの双方のＥＣＭが同一であると弁別されたときには（ステップＳ１５０６：Ｎｏ）、管理テーブルの機器ＩＤ２に関するデータとして、排他フラグを１に設定し（ステップＳ１５１５）、ステップＳ１５２１に移行する。
このステップＳ１５０６で双方のＥＣＭが同一であるということは、即ち、機器ＩＤ２に該当する機器（本例では、デジタル放送受信機２）はコンディショナルアクセスカード１を使用して視聴を開始しようとしたが機器ＩＤ１に該当する機器（デジタル放送受信機１）が同一のコンディショナルアクセスカード１に接続し且つ同一の番組（同一のＥＣＭ）を視聴しているということである。
【０１４５】
従って、デジタル放送受信機２としてはコンディショナルアクセスカード１については一時的に排他状態を保持する必要があり、その後コンディショナルアクセスカード２での視聴を試みることになる。
図１４のフローチャートを参照して説明したとおり、認証済のコンディショナルアクセスカードは１であると弁別されたときには（ステップＳ１４０６：Ｙｅｓ）、”Ｊ”の外部ページ参照記号で繋がりが示された図１５のフローチャート（ステップＳ１５２１）に移行する。ステップＳ１５２１では、機器ＩＤ１（この場合は、デジタル放送受信機１）に対応して何れかのコンディショナルアクセスカードが認証されているか否かという認証状況の識別処理を行う。
【０１４６】
ステップＳ１５２１での認証状況の識別処理の結果として、現在機器ＩＤ１に接続中のコンディショナルアクセスカードは２であると識別されたか否かを弁別する（ステップＳ１５２２）。
機器ＩＤ１に対応して現在接続中のコンディショナルアクセスカードは２であると弁別されたときには（ステップＳ１１２２：Ｙｅｓ）、次いで、管理テーブルの機器ＩＤ１のコンディショナルアクセス（図中ＣＡＳと略記）カードに関するデータを参照し、機器ＩＤ１（即ち、想定したシステムにおいては、デジタル放送受信機１）に対応して何れかのコンディショナルアクセスカードが認証されているか否かという認証状況の識別処理を行う（ステップＳ１５２３）。この処理は、即ち、何れかのコンディショナルアクセスカードが視聴状態で適用されている（接続中）か否かを識別するものである。
【０１４７】
ステップＳ１５２３での識別処理の結果として、機器ＩＤ１に対応して何れかのコンディショナルアクセスカードが認証済である旨か否かを弁別し（ステップＳ１５２４）、認証済であると識別されたときには（ステップＳ１５２４：Ｙｅｓ）、管理テーブルの機器ＩＤ２に関するＥＣＭと機器ＩＤ１に関するＥＣＭとを比較する（ステップＳ１５２５）。
【０１４８】
ステップＳ１５２５における比較は、機器ＩＤ２に該当する機器（本例ではデジタル放送受信機２）と機器ＩＤ１に該当する機器（本例ではデジタル放送受信機１）が同一のコンディショナルアクセスカード（ここではＣＡＳ２）に接続され、且つ、同じ番組（同一のＥＣＭ）を視聴しようとしているかどうかを判断するためのものである。
即ち、ステップＳ１５２１からステップＳ１５２４では、機器ＩＤ１に該当する機器（デジタル放送受信機１）がコンディショナルアクセスカード２を使用して、機器ＩＤ２に該当する機器（デジタル放送受信機２）に先んじて何らかの番組視聴を行っているかどうかを判断しており、デジタル放送受信機１がコンディショナルアクセスカード１を使用して既に番組視聴している場合には、デジタル放送受信機２は同一のコンディショナルアクセスカード２且つ同一のＥＣＭで視聴することはできない。
【０１４９】
ステップＳ１５２５での比較の結果を弁別し（ステップＳ１５２６）、双方のＥＣＭが異なるときには（ステップＳ１５２６：Ｙｅｓ）、管理テーブルの機器ＩＤ２に関するデータとして、コンディショナルアクセスカード２を対応付け（ステップＳ１５２７）、コンディショナルアクセスカード２へステップＳ１２０１（図１２）で受信されたＥＣＭメッセージを送信する（ステップＳ１５２８）。
【０１５０】
この場合は、同一のコンディショナルアクセスカード２に対するアクセスであるが、ＥＣＭが同一ではないのでデジタル放送受信機２はコンディショナルアクセスカード２を使用してデジタル放送受信機１と異なる番組の視聴を開始する。
ステップＳ１５２８でのＥＣＭメッセージの送信に応答してコンディショナルアクセスカード２から転送されてくるスクランブル解除鍵を受信し（ステップＳ１５２９）、次いで、受信したスクランブル解除鍵をデジタル放送受信機２へ送信する（ステップＳ１５３０）。この後、ステップＳ１４０１（図１２）に戻る。
【０１５１】
尚、ステップＳ１５２６で、管理テーブルの機器ＩＤ２に関するＥＣＭと機器ＩＤ１に関するＥＣＭが異なるものではないと弁別されたときには（ステップＳ１５２６：Ｎｏ）、管理テーブルの機器ＩＤ２のデータを初期化して（ステップＳ１５３１）、デジタル放送受信機２に排他メッセージを送信し（ステップＳ１５３２）、その後、図１２のステップＳ１２０１に戻る。
【０１５２】
以上、図１２〜図１５の処理において、視聴を始めようとする当初から、解除鍵がデジタル放送受信機２で取得されるまでは、次の処理フロー（２−１）に従って処理が順次実行される：
図１２のステップＳ１２０１→ステップＳ１２０２→ステップＳ１２０３→ステップＳ１２０４→ステップＳ１２０５→図１２のＩ→図１５のＩ→ステップＳ１５０１→ステップＳ１５０２→ステップＳ１５０７→ステップＳ１５０８→ステップＳ１５０９→ステップＳ１５１０→Ｆ………………処理フロー（２−１）
【０１５３】
既述のように、当初、ステップＳ１２０２の段階では、管理テーブルは初期状態にある。また、接続中のコンディショナルアクセスカード（図１６中「接続中のＣＡＳカード」）の欄、コンディショナルアクセスカード毎の認証状況（図１６中「ＣＡＳ認証状況」）の欄、および、現在時点でのＥＣＭデータ（図１６中「現在のＥＣＭデータ」）の欄は、未だデータが保有されずブランクであり、視聴権限に基づいて放送の視聴を排他的に許容するための「排他フラグ」のデータは何れも「０」である…図１６（ａ）。
【０１５４】
また、ステップＳ１２０１で受信されたメッセージがＥＣＭメッセージを含むものであると識別されたときには（ステップＳ１２０２：Ｙｅｓ）、機器ＩＤ２のテーブルデータにおける「現在のＥＣＭデータ」（当初はデータが保持されていない）を、受信されたＥＣＭメッセージに対応するものに更新する（ステップＳ１２０３）…図１６（ｂ）。
更に、ステップＳ１５０７で、機器ＩＤ２のテーブルデータにおける「接続中のＣＡＳカード」（当初はデータが保持されていない）が、現状に対応する「ＣＡＳ１」に更新される…図１６（ｃ）。
【０１５５】
次いで、認証が完了するまでは、次の処理フロー（２−２）によって処理が実行される。
図１２のステップＳ１２０１→ステップＳ１２０２→ステップＳ１２１１→ステップＳ１２２１→ステップＳ１２２２→ステップＳ１２２３→図１２のＧ→図１３のＧ→ステップＳ１３０１→ステップＳ１３０２→ステップＳ１３０３→ステップＳ１３０４→ステップＳ１３０５→ステップＳ１３０６→Ｆ………………処理フロー（２−２）
ステップＳ１３０１で、機器ＩＤ２のテーブルデータにおける「ＣＡＳ認証状況」が、現状に対応するように「認証済」に更新される……図１６（ｄ）。
【０１５６】
以上に次いで、次の、処理フロー（２−３）および処理フロー（２−４）が、処理フロー（２−１）および処理フロー（２−２）を経て確立した視聴可能な状態が維持されている限り繰り返される。
図１２のステップＳ１２０１→ステップＳ１２０２→ステップＳ１２０３→ステップＳ１２０４→ステップＳ１２０５→ステップＳ１２０６→ステップＳ１２０７→ステップＳ１２０８→ステップＳ１２０９→ステップＳ１２１０→Ｆ………………処理フロー（２−３）
および、
図１２のステップＳ１２０１→ステップＳ１２０２→ステップＳ１２１１→ステップＳ１２２１→ステップＳ１２２２→ステップＳ１２２３→Ｆ………………処理フロー（２−４）
【０１５７】
以上、図８〜図１５のフローチャートおよび図２のブロック図を参照して説明したところから了解されるとおり、本発明の実施の形態としてのコンディショナルアクセスシステム１０、および、コンディショナルアクセスサーバ１００では、コンディショナルアクセスサーバ１００の第１および第２のコンディショナルアクセスカードインターフェース部１１１，１２１に接続されている複数のコンディショナルアクセスカード１１０，１２０に関して締結されている放送ないし番組の視聴契約に基づいて、複数のデジタル放送受信機２００，３００の間で、同一のコンディショナルアクセスカードおよび同一の視聴期間中については排他的になるようにして視聴契約を遵守しつつ、各個のデジタル放送受信機に共通に、当該視聴契約に基づく視聴権限による便益、即ち、放送ないし番組の正規の視聴をすることができるという便益をユーザが享受することができるように、コンディショナルアクセスサーバ１００のサーバ側システムコントローラ１５０が調停を実行する。
【０１５８】
また、コンディショナルアクセスサーバ１００のデジタル放送受信機インターフェース部、および、複数の各デジタル放送受信機のコンディショナルアクセスサーバインターフェース部は、ネットワークを通してデータの授受を行うネットワークインターフェース部によって構成されているため、コンディショナルアクセスシステム１０に属するコンディショナルアクセスサーバ１００と複数の各デジタル放送受信機２００，３００との各個の本体の配置に拘束されずにネットワークを通して支障なく所要のデータの授受を行うことができる。
【０１５９】
更に、サーバ側システムコントローラ１５０は、複数のデジタル放送受信機間２００，３００で同一のコンディショナルアクセスカード（１１０または１２０）に関して視聴契約が締結されている同一の放送ないし番組について同時に当該放送ないし番組の視聴を行うための操作が行われたときには、当該視聴のための操作が先行したデジタル放送受信機（２００または３００）に対して視聴を許容し、当該視聴のための操作が後続して行われたデジタル放送受信機に対して、他機が優先して排他的に当該放送ないし番組を視聴している旨の排他メッセージを送信するように制御を実行する（図８、図１０のステップＳ８０１→ステップＳ８０２→ステップＳ８１１→ステップＳ８２１→ステップＳ１００１→ステップＳ１００２→ステップＳ１００３→ステップＳ１００５→ステップＳ１００６→ステップＳ１００７→ステップＳ１００８→ステップＳ１０１１→ステップＳ１０１２等；図１２、図１４のステップＳ１２０１→ステップＳ１２０２→ステップＳ１２１１→ステップＳ１２２１→ステップＳ１４０１→ステップＳ１４０２→ステップＳ１４０３→ステップＳ１４０５→ステップＳ１４０６→ステップＳ１４０７→ステップＳ１４０８→ステップＳ１４１１→ステップＳ１４１２等）。
【０１６０】
この排他メッセージの送信によって、デジタル放送受信機側では、図５に例示されたような排他メッセージの表示を行うことができる。
また、サーバ側システムコントローラ１５０は、デジタル放送受信機２００，３００において、何れのコンディショナルアクセスカード（１１０，１２０）に関しても視聴契約が締結されていない放送ないし番組の視聴を行うための操作が行われたときには、当該デジタル放送受信機に対して、視聴に関する視聴契約は未締結である旨の未契約メッセージを送信するべく制御を実行する（図８、図１０のステップＳ８０１→ステップＳ８０２→ステップＳ８１１→ステップＳ８２１→ステップＳ１００１→ステップＳ１００２→ステップＳ１００３→ステップＳ１００５→ステップＳ１００６→ステップＳ１００７→ステップＳ１００８→ステップＳ１００９→ステップＳ１０１０等；図１２、図１４のステップＳ１２０１→ステップＳ１２０２→ステップＳ１２１１→ステップＳ１２２１→ステップＳ１４０１→ステップＳ１４０２→ステップＳ１４０３→ステップＳ１４０５→ステップＳ１４０６→ステップＳ１４０７→ステップＳ１４０８→ステップＳ１４０９→ステップＳ１４１０等）。
この未契約メッセージの送信によって、デジタル放送受信機側では、図６に例示されたような未契約メッセージの表示を行うことができる。
【０１６１】
図１７〜図１９は、上述のような各利用シーンを図解によって要約した概念図である。
図１７の第１のシーンは、第１のコンディショナルアクセスカード（ＣＡカード１と表記）に視聴権限１が、第２のコンディショナルアクセスカード（ＣＡカード２と表記）に視聴権限２が記録されていて第１のデジタル放送受信機２００が視聴権限１、第２のデジタル放送受信機３００が視聴権限２を使用する場合である。デジタル放送受信機１及び２がそれぞれ異なるコンディショナルアクセスカードにアクセスしそれぞれ異なる番組を視聴するため双方の端末（デジタル放送受信機）とも視聴可能である。
【０１６２】
図１８の第２のシーンは、第１のコンディショナルアクセスカード（ＣＡカード１と表記）に複数の有料番組視聴権限、即ち、視聴権限１と視聴権限２とが記録されていて、第１のデジタル放送受信機２００が視聴権限１、第２のデジタル放送受信機３００が視聴権限２を使用する場合である。第１のデジタル放送受信機２００および第２のデジタル放送受信機３００が同一のコンディショナルアクセスカード（図示の場合は、ＣＡカード１と表記された第１のコンディショナルアクセスカード）にアクセスするが、視聴する番組が異なりＥＣＭデータも異なるためそれぞれの端末（デジタル放送受信機）で視聴が可能である。
【０１６３】
図１９の第３のシーンは、第１のコンディショナルアクセスカード（ＣＡカード１と表記）に有料番組の視聴権限１が記録されおり、第１のデジタル放送受信機２００が先行してこの視聴権限１を使用していて、さらに第２のデジタル放送受信機３００が視聴権限１を要する番組を視聴したい場合（そのための操作を試みた場合）、同時に同一チャンネルの受信であり、ＥＣＭデータが同一となるため、後続して視聴を試みた第２のデジタル放送受信機３００では視聴権限１を要する番組は視聴できない。この排他処理により１つの有料契約に対して複数のデジタル受信機での同時視聴はできず、視聴契約は遵守されることになる。
【図面の簡単な説明】
【０１６４】
【図１】本発明の実施の形態としてのコンディショナルアクセスシステムを表すブロック図である。
【図２】図１のコンディショナルアクセスシステムにおけるコンディショナルアクセスサーバの構成を表すブロック図である。
【図３】図１のコンディショナルアクセスシステムにおける第１のデジタル放送受信機としてのデジタル放送受像機の構成を表すブロック図である。
【図４】図２のコンディショナルアクセスサーバで管理される管理テーブルを表す概念図である。
【図５】視聴のための操作が行われた何れかのデジタル放送受信機において、他機が優先して排他的に当該放送ないし番組を視聴している旨を表示する場合の表示例を表す図である。
【図６】視聴のための操作が行われた何れかのデジタル放送受信機において、視聴契約が締結されていない放送ないし番組の視聴を行おうとしている旨を表示する場合の表示例を表す図である。
【図７】図１のコンディショナルアクセスシステムにおける第１または第２のデジタル放送受信機の動作を表すフローチャートである。
【図８】コンディショナルアクセスサーバの動作（デジタル放送受信機１で放送を視聴する場合）に関するフローチャートである。
【図９】コンディショナルアクセスサーバの動作（デジタル放送受信機１で放送を視聴する場合）に関するフローチャートであって図８に続く部分の図である。
【図１０】コンディショナルアクセスサーバの動作（デジタル放送受信機１で放送を視聴する場合）に関するフローチャート図８に続く部分の図である。
【図１１】コンディショナルアクセスサーバの動作（デジタル放送受信機１で放送を視聴する場合）に関するフローチャート図８に続く部分の図である。
【図１２】コンディショナルアクセスサーバの動作（デジタル放送受信機２で放送を視聴する場合）に関するフローチャートである。
【図１３】コンディショナルアクセスサーバの動作（デジタル放送受信機２で放送を視聴する場合）に関するフローチャートであって図１２に続く部分の図である。
【図１４】コンディショナルアクセスサーバの動作（デジタル放送受信機２で放送を視聴する場合）に関するフローチャートであって図１２に続く部分の図である。
【図１５】コンディショナルアクセスサーバの動作（デジタル放送受信機２で放送を視聴する場合）に関するフローチャートであって図１２に続く部分の図である。
【図１６】図２のコンディショナルアクセスサーバで管理される管理テーブルを表す概念図である。
【図１７】本発明のコンディショナルアクセスシステムの第１の利用シーンを図解によって要約した概念図である。
【図１８】本発明のコンディショナルアクセスシステムの第２の利用シーンを図解によって要約した概念図である。
【図１９】本発明のコンディショナルアクセスシステムの第３の利用シーンを図解によって要約した概念図である。
【符号の説明】
【０１６５】
１０…コンディショナルアクセスシステム  １００…コンディショナルアクセスサーバ  １０１…第１のカードスロット  １０２…第２のカードスロット  １１０…第１のコンディショナルアクセスカード  １１１…第１のコンディショナルアクセスカードインターフェース部  １２０…第２のコンディショナルアクセスカード  １２１…第２のコンディショナルアクセスカードインターフェース部  １４０…ネットワークインターフェース部  １５０…サーバ側システムコントローラ  ２００…第１のデジタル放送受信機  ２０２…デジタルチューナ  ２０４…スクランブル解除部  ２０８…ネットワークインターフェース部  ２０９…受信機側システムコントローラ  ３００…第２のデジタル放送受信機    ４００…伝送路  ４１０…ハブ  ４２０…ネットワーク
【図１】
2007336141.tif 000003
【図２】
2007336141.tif 000004
【図３】
2007336141.tif 000005
【図４】
2007336141.tif 000006
【図５】
2007336141.tif 000007
【図６】
2007336141.tif 000008
【図７】
2007336141.tif 000009
【図８】
2007336141.tif 000010
【図９】
2007336141.tif 000011
【図１０】
2007336141.tif 000012
【図１１】
2007336141.tif 000013
【図１２】
2007336141.tif 000014
【図１３】
2007336141.tif 000015
【図１４】
2007336141.tif 000016
【図１５】
2007336141.tif 000017
【図１６】
2007336141.tif 000018
【図１７】
2007336141.tif 000019
【図１８】
2007336141.tif 000020
【図１９】
2007336141.tif 000021